(57)【要約】  本発明は電力制御命令の伝送方法及び装置を開示する。ＵＥ側の方法は、各キャリア組に対応するＴＰＣ-ＲＮＴＩ及び各キャリア組に対応するＴＰＣ-ｉｎｄｅｘを確定するステップと、ＰＣＣの共通領域において、ＤＣＩ ｆｏｒｍａｔ ３/３Ａが採用され且つ各キャリア組に対応するＴＰＣ-ＲＮＴＩでスクランブルしたＰＤＣＣＨを検出するステップと、各キャリア組に対応するＴＰＣ-ｉｎｄｅｘに基づいて、前記検出した、当該キャリア組に対応するＴＰＣ-ＲＮＴＩでスクランブルしたＰＤＣＣＨにおいて、当該キャリア組に対応するアップリンク電力制御命令の位置を確定し、対応の位置から当該キャリア組に対応するアップリンク電力制御命令を取得するステップとを備える。
2016506703.tif 000002
【特許請求の範囲】
【請求項１】
アップリンク電力制御命令の伝送方法であって、
前記方法は、
各キャリア組に対応する電力制御-無線ネットワーク一時的識別子及び各キャリア組に対応する電力制御インデックスを確定するステップと、
プライマリー・コンポーネントキャリアの共通領域において、ダウンリンク制御情報フォーマット ３/３Ａが採用され且つ各キャリア組に対応する電力制御-無線ネットワーク一時的識別子でスクランブルする物理ダウンリンク制御チャネルを検出するステップと、
各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得するステップと
を備えることを特徴とするアップリンク電力制御命令の伝送方法。
【請求項２】
各キャリア組に対応する電力制御-無線ネットワーク一時的識別子を確定し、また、各キャリア組に対応する電力制御インデックスを確定するには、手段１、手段２、手段３のいずれかを用い、
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なり、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なり、
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではなく、
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なることを特徴とする請求項１に記載のアップリンク電力制御命令の伝送方法。
【請求項３】
手段１または手段３を用いる場合、各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得することは、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得することを含むことを特徴とする請求項２に記載のアップリンク電力制御命令の伝送方法。
【請求項４】
前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含むことを特徴とする請求項１ないし請求項３のいずれの１つに記載のアップリンク電力制御命令の伝送方法。
【請求項５】
電力制御命令の伝送方法であって、
前記伝送方法は、
ユーザー設備の各キャリア組に対応する電力制御-無線ネットワーク一時的識別子及び各キャリア組に対応する電力制御インデックスを確定するステップと、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信するステップと
を備えることを特徴とする電力制御命令の伝送方法。
【請求項６】
ユーザー設備の各キャリア組に対応する電力制御-無線ネットワーク一時的識別子を確定し、また、ユーザー設備の各キャリア組に対応する電力制御インデックスを確定するには、手段１、手段２、手段３のいずれかを用い、
手段１：
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、異なるキャリア組に対応する電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、異なるキャリア組に対応する電力制御インデックスそれぞれは、異なり、
手段２：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、異なるキャリア組に対応する電力制御-無線ネットワーク一時的識別子それぞれは、異なり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、各キャリア組それぞれに対応する電力制御インデックスを確定し、
手段３：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、各キャリア組に対応する電力制御-無線ネットワーク一時的識別子は、全部同一ではなく、
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、同一の電力制御-無線ネットワーク一時的識別子に対応するキャリア組の対応の電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、同一の電力制御-無線ネットワーク一時的識別子に対応するキャリア組の対応の電力制御インデックスそれぞれは、異なることを特徴とする請求項５に記載の電力制御命令の伝送方法。
【請求項７】
手段２または手段３を用いる場合、各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信することは、
前記ユーザー設備の、異なる電力制御-無線ネットワーク一時的識別子に対応するキャリア組に対応するアップリンク電力制御命令を、ダウンリンク制御情報フォーマット３/３Ａが採用され、且つ対応の前記異なる電力制御-無線ネットワーク一時的識別子それぞれが用いられてスクランブルする物理ダウンリンク制御チャネルにマッピングし、異なるダウンリンクサブフレームそれぞれにより、前記ユーザー設備のプライマリー・コンポーネントキャリアの共通領域において、複数の物理ダウンリンク制御チャネルを伝送することを含み、
または、
手段１または手段３を用いる場合、各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信することは、
前記ユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信することを含み、
または、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信することは、
異なるユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信することを含むことを特徴とする請求項６に記載の電力制御命令の伝送方法。
【請求項８】
前記電力制御-無線ネットワーク一時的識別子は、電力制御-物理アップリンク制御チャネル-無線ネットワーク一時的識別子（ＴＰＣ-ＰＵＣＣＨ-ＲＮＴＩ）と、電力制御-物理アップリンク共有チャネル-無線ネットワーク一時的識別子（ＴＰＣ-ＰＵＳＣＨ-ＲＮＴＩ）とを含むことを特徴とする請求項５ないし請求項７のいずれの１つに記載の電力制御命令の伝送方法。
【請求項９】
電力制御命令の伝送方法であって、
前記伝送方法は、
各キャリア組に対応する電力制御-無線ネットワーク一時的識別子及び各キャリア組に対応する電力制御インデックスを確定するステップと、
各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアであるステップと、
各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得するステップと
を備えることを特徴とする電力制御命令の伝送方法。
【請求項１０】
各キャリア組に対応する電力制御-無線ネットワーク一時的識別子を確定し、また、各キャリア組に対応する電力制御インデックスを確定することは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定することを特徴とする請求項９に記載の電力制御命令の伝送方法。
【請求項１１】
前記各キャリア組に対応する検索対象キャリアは、当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアであることを特徴とする請求項９または請求項１０に記載の電力制御命令の伝送方法。
【請求項１２】
前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子であることを特徴とする請求項９または請求項１０に記載の電力制御命令の伝送方法。
【請求項１３】
電力制御命令の伝送方法であって、
前記伝送方法は、
ユーザー設備の各キャリア組に対応する電力制御-無線ネットワーク一時的識別子及び各キャリア組に対応する電力制御インデックスを確定するステップと、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備の当該キャリア組に対応する検索対象キャリアの共通領域において、前記物理ダウンリンク制御チャネルを伝送し、前記各キャリア組に対応する検索対象キャリアは、上位層シグナリングにより事前設定され、または前記ユーザー設備と事前協議した当該キャリア組の１つのキャリアであるステップと
を備えることを特徴とする電力制御命令の伝送方法。
【請求項１４】
ユーザー設備の各キャリア組に対応する電力制御-無線ネットワーク一時的識別子を確定し、また、ユーザー設備の各キャリア組に対応する電力制御インデックスを確定することは、
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、各キャリア組それぞれに対応する電力制御インデックスを確定し、または、各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックス及びユーザリア組それぞれに対応する電力制御インデックスオフセットを確定し、または、前記ユーザー設備に対応する１個の電力制御インデックス及び前記ユーザリア組それぞれに対応する電力制御インデックスオフセットを確定し、上位層シグナリングにより前記電力制御インデックス及び電力制御インデックスオフセットを前記ユーザー設備のために設定し、前記ユーザー設備に対応する電力制御インデックス及び各キャリア組それぞれに対応する電力制御インデックスオフセットに基づいて、各キャリア組それぞれに対応する電力制御インデックスを確定することを特徴とする請求項１３に記載の電力制御命令の伝送方法。
【請求項１５】
同一のキャリア組において動作し、且つ同一の電力制御-無線ネットワーク一時的識別子に対応するユーザー設備の、当該キャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、当該キャリア組に対応する検索対象キャリアの共通領域において、前記物理ダウンリンク制御チャネルを伝送するステップを更に備えることを特徴とする請求項１３または請求項１４に記載の電力制御命令の伝送方法。
【請求項１６】
前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアであることを特徴とする請求項１３または請求項１４に記載の電力制御命令の伝送方法。
【請求項１７】
前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子であることを特徴とする請求項１３または請求項１４に記載の電力制御命令の伝送方法。
【請求項１８】
ユーザー設備であって、
前記ユーザー設備は、
各キャリア組に対応する電力制御-無線ネットワーク一時的識別子及び各キャリア組に対応する電力制御インデックスを確定する第１パラメーター確定モジュールと、
プライマリー・コンポーネントキャリアの共通領域において、ダウンリンク制御情報フォーマット３/３Ａが採用され、各キャリア組に対応する電力制御-無線ネットワーク一時的識別子でスクランブルされる物理ダウンリンク制御チャネルを検出する第１チャネル検索モジュールと、
各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得する第１電力制御命令取得モジュールと
を備えることを特徴とするユーザー設備。
【請求項１９】
各キャリア組に対応する電力制御-無線ネットワーク一時的識別子を確定し、また、各キャリア組に対応する電力制御インデックスを確定する場合、前記第１パラメーター確定モジュールは、手段１、手段２及び手段３のいずれか１つを実行し、
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なり、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なり、
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではなく、
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なることを特徴とする請求項１８に記載のユーザー設備。
【請求項２０】
手段１または手段３を用いる場合、前記第１電力制御命令取得モジュールは、下記のことに用いられ、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得することを特徴とする請求項１９に記載のユーザー設備。
【請求項２１】
前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含むことを特徴とする請求項１８ないし請求項２０のいずれの１つに記載のユーザー設備。
【請求項２２】
ネットワーク側設備であって、
前記ネットワーク側設備は、
ユーザー設備の各キャリア組に対応する電力制御-無線ネットワーク一時的識別子及び各キャリア組に対応する電力制御インデックスを確定する第３パラメーター確定モジュールと、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信する第３電力制御命令送信モジュールと
を備えることを特徴とするネットワーク側設備。
【請求項２３】
ユーザー設備の各キャリア組に対応する電力制御-無線ネットワーク一時的識別子を確定し、また、ユーザー設備の各キャリア組に対応する電力制御インデックスを確定する場合、前記第３パラメーター確定モジュールは、下記のことに用いられ、
手段１：
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、異なるキャリア組に対応する電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、異なるキャリア組に対応する電力制御インデックスそれぞれは、異なり、
手段２：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、異なるキャリア組に対応する電力制御-無線ネットワーク一時的識別子それぞれは、異なり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、各キャリア組それぞれに対応する電力制御インデックスを確定し、
手段３：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、各キャリア組に対応する電力制御-無線ネットワーク一時的識別子は、全部同一ではなく、
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、同一の電力制御-無線ネットワーク一時的識別子に対応するキャリア組の対応の電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、同一の電力制御-無線ネットワーク一時的識別子に対応するキャリア組の対応の電力制御インデックスそれぞれは、異なることを特徴とする請求項２２に記載のネットワーク側設備。
【請求項２４】
手段２または手段３を用いる場合、前記第３電力制御命令送信モジュールは、前記ユーザー設備の、異なる電力制御-無線ネットワーク一時的識別子に対応するキャリア組に対応するアップリンク電力制御命令を、ダウンリンク制御情報フォーマット３/３Ａが採用され、且つ対応の前記異なる電力制御-無線ネットワーク一時的識別子それぞれが用いられてスクランブルする物理ダウンリンク制御チャネルにマッピングし、異なるダウンリンクサブフレームそれぞれにより、前記ユーザー設備のプライマリー・コンポーネントキャリアの共通領域において、複数の物理ダウンリンク制御チャネルを伝送し、
または、
手段１または手段３を用いる場合、前記第３電力制御命令送信モジュールは、前記ユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信し、
または、
前記第３電力制御命令送信モジュールは、異なるユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信することを特徴とする請求項２３に記載のネットワーク側設備。
【請求項２５】
前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含むことを特徴とする請求項２２ないし請求項２４のいずれの１つに記載のネットワーク側設備。
【請求項２６】
ユーザー設備であって、
前記ユーザー設備は、
各キャリア組に対応する電力制御-無線ネットワーク一時的識別子及び各キャリア組に対応する電力制御インデックスを確定する第２パラメーター確定モジュールと、
各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアである第２チャネル検索モジュールと、
各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得する第２電力制御命令取得モジュールと
を備えることを特徴とするユーザー設備。
【請求項２７】
各キャリア組に対応する電力制御-無線ネットワーク一時的識別子を確定し、また、各キャリア組に対応する電力制御インデックスを確定する場合、前記第２パラメーター確定モジュールは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定することを特徴とする請求項２６に記載のユーザー設備。
【請求項２８】
前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアであることを特徴とする請求項２６または請求項２７に記載のユーザー設備。
【請求項２９】
前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子であることを特徴とする請求項２６または請求項２７に記載のユーザー設備。
【請求項３０】
ネットワーク側設備であって、
前記ネットワーク側設備は、
ユーザー設備の各キャリア組に対応する電力制御-無線ネットワーク一時的識別子及び各キャリア組に対応する電力制御インデックスを確定する第４パラメーター確定モジュールと、
各キャリア組に対応する電力制御インデックスに基づいて、当該キャリア組に対応するアップリンク電力制御命令を、ダウンリンク制御情報３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備の当該キャリア組に対応する検索対象キャリアの共通領域において、前記物理ダウンリンク制御チャネルを伝送し、前記各キャリア組に対応する検索対象キャリアは、上位層シグナリングにより事前設定され、または前記ユーザー設備と事前協議した当該キャリア組の１つのキャリアである第４電力制御命令送信モジュールと
を備えることを特徴とするネットワーク側設備。
【請求項３１】
ユーザー設備の各キャリア組に対応する電力制御-無線ネットワーク一時的識別子を確定し、ユーザー設備の各キャリア組に対応する電力制御インデックスを確定する場合、前記第４パラメーター確定モジュールは、
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、各キャリア組それぞれに対応する電力制御インデックスを確定し、または、各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックス及びユーザリア組それぞれに対応する電力制御インデックスオフセットを確定し、または、前記ユーザー設備に対応する１個の電力制御インデックス及び前記ユーザリア組それぞれに対応する電力制御インデックスオフセットを確定し、上位層シグナリングにより前記電力制御インデックス及び電力制御インデックスオフセットを前記ユーザー設備のために設定し、前記ユーザー設備に対応する電力制御インデックス及び各キャリア組それぞれに対応する電力制御インデックスオフセットに基づいて、各キャリア組それぞれに対応する電力制御インデックスを確定することを特徴とする請求項３０に記載のネットワーク側設備。
【請求項３２】
前記第４電力制御命令送信モジュールは、
同一のキャリア組において動作し、且つ同一の電力制御-無線ネットワーク一時的識別子に対応するユーザー設備の、当該キャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、当該キャリア組に対応する検索対象キャリアの共通領域において、前記物理ダウンリンク制御チャネルを伝送することを特徴とする請求項３０または請求項３１に記載のネットワーク側設備。
【請求項３３】
前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアであることを特徴とする請求項３０または請求項３１に記載のネットワーク側設備。
【請求項３４】
前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子であることを特徴とする請求項３０または請求項３１に記載のネットワーク側設備。
【発明の詳細な説明】
【技術分野】
【０００１】
本発明は、通信分野に関し、特にアップリンク電力制御命令の伝送方法及び装置に関する。
【背景技術】
【０００２】
本出願は、２０１３年１月１０日に中国特許局に提出し、出願番号が２０１３１０００９４４０.９であり、発明名称が「アップリンク電力制御命令の伝送方法及び装置」との中国特許出願を基礎とする優先権を主張し、その開示の総てをここに取り込む。
【０００３】
ＬＴＥシステムにおけるＰＵＣＣＨ電力制御のロング・ターム・ェボリューション（Ｌｏｎｇ Ｔｅｒｍ Ｅｖｏｌｕｔｉｏｎ，ＬＴＥ）システムは、プライマリー・コンポーネントキャリア（Ｐｒｉｍａｒｙ Ｃｏｍｐｏｎｅｎｔ Ｃａｒｒｉｅｒ，ＰＣＣ）上での物理アップリンク制御チャネル（Ｐｈｙｓｉｃａｌ Ｕｐｌｉｎｋ Ｃｏｎｔｒｏｌ Ｃｈａｎｎｅｌ，ＰＵＣＣＨ）伝送のみをサポートする。ＰＵＣＣＨの伝送電力は、各伝送サブフレームにおいて対応のアップリンク電力制御（Ｔｒａｎｓｍｉｔ Ｐｏｗｅｒ Ｃｏｎｔｒｏｌ，ＴＰＣ）命令に従って調整され、当該アップリンクＴＰＣ命令は、下記の２つの方法で取得することができる。
【０００４】
〈手段１〉
物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）、または強化物理ダウンリンク制御チャネル（Ｅｎｈａｎｃｅｄ ＰＤＣＣＨ）におけるＴＰＣフィールドからアップリンクＴＰＣ命令取得する。上記のチャネルは、ＰＣＣに対応し、ダウンリンク制御情報（Ｄｏｗｎｌｉｎｋ Ｃｏｎｔｒｏｌ Ｉｎｆｏｒｍａｔｉｏｎ，ＤＣＩ ）フォーマット（ｆｏｒｍａｔ）１Ａ/１Ｂ/１Ｄ/１/２Ａ/２/２Ｂ/２Ｃ/２Ｄを採用し、且つセル無線ネットワーク一時的識別子（Ｃｅｌｌ-Ｒａｄｉｏ Ｎｅｔｗｏｒｋ Ｔｅｍｐｏｒａｒｙ Ｉｄｅｎｔｉｆｉｅｒ，Ｃ-ＲＮＴＩ）でスクランブルされたものである。
【０００５】
〈手段２〉
ＰＣＣの共通領域（Ｃｏｍｍｏｎ Ｓｅａｒｃｈ Ｓｐａｃｅ，ＣＳＳ ）にて伝送する、ＤＣＩ ｆｏｒｍａｔ ３/３Ａを採用し、且つＴＰＣ-ＰＵＣＣＨ-ＲＮＴＩでスクランブルするＰＤＣＣＨ、またはＥＰＤＣＣＨからアップリンクＴＰＣ命令を取得する。当該方法は、ＴＰＣマルチキャスト方法であり、即ち、複数のＵＥのアップリンクＴＰＣ命令は、同一のＰＤＣＣＨで伝送することができ、各ユーザー設備（Ｕｓｅｒ Ｅｑｕｉｐｍｅｎｔ，ＵＥ）は、上位層により事前設定した電力制御-インデックス（ＴＰＣ-ｉｎｄｅｘ）より、ＴＰＣマルチキャスト命令中の自身と関わるアップリンクＴＰＣ命令を取得する。
【０００６】
ＵＥが上記２つの方法で伝送するＰＤＣＣＨを同時に検出する場合、手段１で取得したＰＤＣＣＨにおけるアップリンクＴＰＣ命令で電力を調整する。
【０００７】
キャリア・アグリゲイション技術
ＬＴＥ-Ａ（Ｌｏｎｇ Ｔｅｒｍ Ｅｖｏｌｕｔｉｏｎ - Ａｄｖａｎｃｅｄ， ）システムには、キャリア・アグリゲイション（Ｃａｒｒｉｅｒ Ａｇｇｒｅｇａｔｉｏｎ，ＣＡ）技術が導入される。即ち、同一の基地局（ｅＮＢ）の複数の連続または不連続のキャリアをアグリゲイションして、ＵＥにサービスを同時に提供する。これらアグリゲイションしたキャリアは、コンポーネントキャリア（Ｃｏｍｐｏｎｅｎｔ Ｃａｒｒｉｅｒ，ＣＣ）と称される。各セルは、１つのコンポーネントキャリアであり、異なるｅＮＢのセル（コンポーネントキャリア）はアグリゲイションできない。ＬＴＥ ＵＥの後方互換性を確保するため、各キャリアの帯域幅は、最大２０ＭＨzとなる。
【０００８】
ＵＥによりアグリゲイションしたコンポーネントキャリアにおいて、１つのプライマリー・コンポーネントキャリア（Ｐｒｉｍａｒｙ Ｃｏｍｐｏｎｅｎｔ Ｃａｒｒｉｅｒ，ＰＣＣ）を定義し、他のコンポーネントキャリアは、全部セカンダリー・コンポーネントキャリア（Ｓｅｃｏｎｄａｒｙ Ｃｏｍｐｏｎｅｎｔ Ｃａｒｒｉｅｒ，ＳＣＣ）と称される。
【０００９】
ＬＴＥ-Ａ以後のシステムは、周波数分割デュープレックス（ＦＤＤ，Ｆｒｅｑｕｅｎｃｙ Ｄｉｖｉｓｉｏｎ Ｄｕｐｌｅｘ）キャリア及び時分割デュープレックス（Ｔｉｍｅ Ｄｉｖｉｓｉｏｎ Ｄｕｐｌｅｘ，ＴＤＤ）キャリアのキャリア・アグリゲイションをサポートする可能性がある。ＦＤＤキャリアとＴＤＤキャリアの運行方法が異なるため、下記のような新しいアップリンク肯定応答/否定応答（ＡＣＫｎｏｗｌｅｄｇｅｍｅｎｔ/Ｎｏｎ-ＡＣＫｎｏｗｌｅｄｇｅｍｅｎｔ，ＡＣＫ/ＮＡＣＫ）伝送案が導入される可能性がある。
【００１０】
ｅＮＢアグリゲーションしたダウンリンクキャリアをＮ個のダウンリンクキャリア組Ｓｉに分け、１つのダウンリンクキャリアは、１つのダウンリンクキャリア組に属する。前記ダウンリンクキャリア組におけるキャリアは、同様なデュープレックス仕様を採用する。１つのキャリア組内の全ＴＤＤキャリアは、同一のＴＤＤアップリンク/ダウンリンク構成を採用する。
【００１１】
ｅＮＢは、ダウンリンクキャリア組Ｓｉのために、アップリンクキャリアＣＵＬ,ｉを割り当てる。当該アップリンクキャリアＣＵＬ,ｉは、当該ダウンリンクキャリア組と同様なデュープレックス仕様を採用し、当該アップリンクキャリアは、対応のダウンリンクキャリア組と同様なＴＤＤアップリンク/ダウンリンク構成を採用する。異なるダウンリンクキャリア組に対応するアップリンクキャリアはそれぞれ異なる。
【００１２】
ＵＥは、ダウンリンクキャリア組Ｓｉにおいて受信したダウンリンクデータに対応するＡＣＫ/ＮＡＣＫ情報を、アップリンクキャリアＣＵＬ,ｉ上のＰＵＣＣＨにより伝送する。
【発明の概要】
【発明が解決しようとする課題】
【００１３】
ＵＥが異なるキャリア組に対応する異なるアップリンクキャリアにおいてＰＵＣＣＨを伝送することをサポートする場合、これに応じられるアップリンク電力制御命令の伝送案はまた考案されていない。
【００１４】
本発明の目的は、アップリンク電力制御命令の伝送方法及び装置を提供し、ＵＥが異なるキャリア組に対応する異なるアップリンクキャリアにおいてＰＵＣＣＨを伝送することをサポートする場合、アップリンク電力制御命令をどのように実現するのかを解決する。
本発明の目的は、以下のように達成する。
【課題を解決するための手段】
【００１５】
仕様１
アップリンク電力制御命令の伝送方法は、
各キャリア組に対応する電力制御-無線ネットワーク一時的識別子及び各キャリア組に対応する電力制御インデックスを確定するステップと、
プライマリー・コンポーネントキャリアの共通領域において、ダウンリンク制御情報フォーマット３/３Ａが採用され、各キャリア組に対応する電力制御-無線ネットワーク一時的識別子でスクランブルされる物理ダウンリンク制御チャネルを検出するステップと、
各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得するステップとを備える。
【００１６】
仕様１を参照し、第１の実施可能の方法において、各キャリア組に対応する電力制御-無線ネットワーク一時的識別子を確定し、また、各キャリア組に対応する電力制御インデックスを確定するには、手段１、手段２、手段３のいずれかを用いられる。
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なる。または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なる。
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なる。
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではなく、
上位層シグナリングの指示またはネットワーク側との事前協議に基づいて、各キャリア組  それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なる。
【００１７】
仕様１の第１の実施可能の方法を参照する。第２の実施可能の方法において、手段１または手段３を用いる場合、各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得することは、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得する。
【００１８】
仕様１的上述いずれの実施可能の方法を参照する。第３の実施可能の方法において，前記電力制御-無線ネットワーク一時的識別子は、電力制御-物理アップリンク制御チャネル-無線ネットワーク一時的識別子と、電力制御-物理アップリンク共享チャネル-無線ネットワーク一時的識別子とを含む。
【００１９】
仕様２
電力制御命令の伝送方法は、
ユーザー設備の各キャリア組に対応する電力制御-無線ネットワーク一時的識別子及び各キャリア組に対応する電力制御インデックスを確定するステップと、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信するステップとを備える。
【００２０】
仕様２を参照する。第１の実施可能の方法において、ユーザー設備の各キャリア組に対応する電力制御-無線ネットワーク一時的識別子を確定し、また、ユーザー設備の各キャリア組に対応する電力制御インデックスを確定するには、手段１、手段２、手段３のいずれかを用いられる。
手段１：
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、異なるキャリア組に対応する電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、異なるキャリア組に対応する電力制御インデックスそれぞれは、異なる。
手段２：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、異なるキャリア組に対応する電力制御-無線ネットワーク一時的識別子それぞれは、異なる前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、各キャリア組それぞれに対応する電力制御インデックスを確定する。
手段３：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、各キャリア組に対応する電力制御-無線ネットワーク一時的識別子は、全部同一ではなく、
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、同一の電力制御-無線ネットワーク一時的識別子に対応するキャリア組の対応の電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、同一の電力制御-無線ネットワーク一時的識別子に対応するキャリア組の対応の電力制御インデックスそれぞれは、異なる。
【００２１】
仕様２の第１の実施可能の方法を参照する第２の実施可能の方法において、手段２または手段３を用いる場合、各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信することは、
前記ユーザー設備の、異なる電力制御-無線ネットワーク一時的識別子に対応するキャリア組に対応するアップリンク電力制御命令を、ダウンリンク制御情報フォーマット３/３Ａが採用され、且つ対応の前記異なる電力制御-無線ネットワーク一時的識別子それぞれが用いられてスクランブルする物理ダウンリンク制御チャネルにマッピングし、異なるダウンリンクサブフレームそれぞれにより、前記ユーザー設備のプライマリー・コンポーネントキャリアの共通領域において、前記複数の物理ダウンリンク制御チャネルを伝送し、
または、
手段１または手段３を用いる場合、各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信することは、
前記ユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信し、
または、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信することは、
異なるユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信する。
【００２２】
仕様２または仕様２の上述いずれの実施可能の方法を参照し、第３の実施可能の方法において、前記電力制御-無線ネットワーク一時的識別子は、電力制御-物理アップリンク制御チャネル-無線ネットワーク一時的識別子（ＴＰＣ-ＰＵＣＣＨ-ＲＮＴＩ）と、電力制御-物理アップリンク共享チャネル-無線ネットワーク一時的識別子（ＴＰＣ-ＰＵＳＣＨ-ＲＮＴＩ）とを含む。
【００２３】
仕様３
電力制御命令の伝送方法は、
電力制御-無線ネットワーク一時的識別子及び各キャリア組に対応する電力制御インデックスを確定するステップと、
各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアであるステップと、
各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得するステップとを備える。
【００２４】
仕様３を参照する。第１の実施可能の方法において、各キャリア組に対応する電力制御-無線ネットワーク一時的識別子を確定し、また、各キャリア組に対応する電力制御インデックスを確定することは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
【００２５】
仕様３または仕様３の第１の実施可能の方法を参照する。第２の実施可能の方法において、前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアである。
【００２６】
仕様３または仕様３の第１の実施可能の方法を参照しながら、第３の実施可能の方法において、前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共享チャネル-無線ネットワーク一時的識別子である。
【００２７】
仕様４
電力制御命令の伝送方法は、
電力制御-無線ネットワーク一時的識別子及びユーザー設備の各キャリア組に対応する電力制御インデックスを確定し、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備の当該キャリア組に対応する検索対象キャリアの共通領域において、前記物理ダウンリンク制御チャネルを伝送し、前記各キャリア組に対応する検索対象キャリアは、上位層シグナリングにより事前設定され、または前記ユーザー設備と事前協議した当該キャリア組の１つのキャリアである。
【００２８】
仕様４を参照する。第１の実施可能の方法において、ユーザー設備の各キャリア組に対応する電力制御-無線ネットワーク一時的識別子を確定し、また、ユーザー設備の各キャリア組に対応する電力制御インデックスを確定することは、
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、各キャリア組それぞれに対応する電力制御インデックスを確定し、または、各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックス及び前記ユーザリア組それぞれに対応する電力制御インデックスオフセットを確定し、または、前記ユーザー設備に対応する１個の電力制御インデックス及び前記ユーザリア組それぞれに対応する電力制御インデックスオフセットを確定し、上位層シグナリングにより前記電力制御インデックス及び電力制御インデックスオフセットを前記ユーザー設備のために設定し、前記ユーザー設備に対応する電力制御インデックス及び各キャリア組それぞれに対応する電力制御インデックスオフセットに基づいて、各キャリア組それぞれに対応する電力制御インデックスを確定する。
【００２９】
仕様４または仕様４の第１の実施可能の方法を参照する。第２の実施可能の方法において、
同一のキャリア組において動作し、且つ同一の電力制御-無線ネットワーク一時的識別子に対応するユーザー設備の、当該キャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、当該キャリア組に対応する検索対象キャリアの共通領域において、前記物理ダウンリンク制御チャネルを伝送する。
【００３０】
仕様４または仕様４の第１の実施可能の方法を参照する。第３の実施可能の方法において、前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアである。
【００３１】
仕様４または仕様４の第１の実施可能の方法を参照する。第４実施可能の方法において、前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子である。
【００３２】
仕様５
ユーザー設備は、
各キャリア組に対応する電力制御-無線ネットワーク一時的識別子及び各キャリア組に対応する電力制御インデックスを確定する第１パラメーター確定モジュールと、
プライマリー・コンポーネントキャリアの共通領域において、ダウンリンク制御情報フォーマット３/３Ａが採用され、各キャリア組に対応する電力制御-無線ネットワーク一時的識別子でスクランブルされる物理ダウンリンク制御チャネルを検出する第１チャネル検索モジュールと、
各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から各キャリア組に対応するアップリンク電力制御命令を取得する第１電力制御命令取得モジュールとを備える。
【００３３】
仕様５を参照する。第１の実施可能の方法において、各キャリア組に対応する電力制御-無線ネットワーク一時的識別子を確定し、また、各キャリア組に対応する電力制御インデックスを確定する場合、前記第１パラメーター確定モジュールは、手段１、手段２及び手段３のいずれか１つを実行し、
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なる。
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なる。
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではない。
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なる。
【００３４】
仕様５の第１の実施可能の方法を参照する。第２の実施可能の方法中において、
手段１または手段３を用いる場合、前記第１電力制御命令取得モジュールは、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得する。
【００３５】
仕様５または仕様５の上述いずれの実施可能の方法を参照する。第３の実施可能の方法において、前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含む。
【００３６】
仕様６
ネットワーク側設備は、
ユーザー設備の各キャリア組に対応する電力制御-無線ネットワーク一時的識別子及び各キャリア組に対応する電力制御インデックスを確定する第３パラメーター確定モジュールと、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信する第３電力制御命令送信モジュールとを備える。
【００３７】
仕様６を参照する。第１の実施可能の方法におて、ユーザー設備の各キャリア組に対応する電力制御-無線ネットワーク一時的識別子を確定し、また、ユーザー設備の各キャリア組に対応する電力制御インデックスを確定する場合、前記第３パラメーター確定モジュールは、手段１、手段２及び手段３のいずれか１つを実行し、
手段１：
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子である。
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、異なるキャリア組に対応する電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、異なるキャリア組に対応する電力制御インデックスそれぞれは、異なる。
手段２：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、異なるキャリア組に対応する電力制御-無線ネットワーク一時的識別子それぞれは、異なる。
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、各キャリア組それぞれに対応する電力制御インデックスを確定する。
手段３：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、各キャリア組に対応する電力制御-無線ネットワーク一時的識別子は、全部同一ではない。
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、同一の電力制御-無線ネットワーク一時的識別子に対応するキャリア組の対応の電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、同一の電力制御-無線ネットワーク一時的識別子に対応するキャリア組の対応の電力制御インデックスそれぞれは、異なる。
【００３８】
仕様６の第１の実施可能の方法を参照する。第２の実施可能の方法において、
手段２または手段３を用いる場合、前記第３電力制御命令送信モジュールは、
前記ユーザー設備の、異なる電力制御-無線ネットワーク一時的識別子に対応するキャリア組に対応するアップリンク電力制御命令を、ダウンリンク制御情報フォーマット３/３Ａが採用され、且つ対応の前記異なる電力制御-無線ネットワーク一時的識別子それぞれが用いられてスクランブルする物理ダウンリンク制御チャネルにマッピングし、異なるダウンリンクサブフレームそれぞれにより、前記ユーザー設備のプライマリー・コンポーネントキャリアの共通領域において、前記複数の物理ダウンリンク制御チャネルを伝送し、
または、
手段１または手段３を用いる場合、前記第３電力制御命令送信モジュールは、
前記ユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信し、
または、
前記第３電力制御命令送信モジュールは、異なるユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信する。
【００３９】
仕様６または仕様６の上述いずれの実施可能の方法を参照する。第３の実施可能の方法において、前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含む。
【００４０】
仕様７
ユーザー設備は、
各キャリア組に対応する電力制御-無線ネットワーク一時的識別子及び各キャリア組に対応する電力制御インデックスを確定する第２パラメーター確定モジュールと、
各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアである第２チャネル検索モジュールと、
各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得する第２電力制御命令取得モジュールとを備える。
【００４１】
仕様７を参照する。第１の実施可能の方法において、各キャリア組に対応する電力制御-無線ネットワーク一時的識別子を確定し、また、各キャリア組に対応する電力制御インデックスを確定する場合、前記第２パラメーター確定モジュールは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
【００４２】
仕様７または仕様７の第１の実施可能の方法を参照する。第２の実施可能の方法において、前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアである。
【００４３】
仕様７または仕様７の第１の実施可能の方法を参照する。第３の実施可能の方法において、前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子である。
【００４４】
仕様８
ネットワーク側設備は、
電力制御-無線ネットワーク一時的識別子及びユーザー設備の各キャリア組に対応する電力制御インデックスを確定する第４パラメーター確定モジュールと、
各キャリア組に対応する電力制御インデックスに基づいて、当該キャリア組に対応するアップリンク電力制御命令を、ダウンリンク制御情報３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備の当該キャリア組に対応する検索対象キャリアの共通領域において、前記物理ダウンリンク制御チャネルを伝送し、前記各キャリア組に対応する検索対象キャリアは、上位層シグナリングにより事前設定され、または前記ユーザー設備と事前協議した当該キャリア組の１つのキャリアである第４電力制御命令送信モジュールとを備える。
【００４５】
仕様８を参照する。第１の実施可能の方法において、ユーザー設備の各キャリア組に対応する電力制御-無線ネットワーク一時的識別子を確定し、また、ユーザー設備の各キャリア組に対応する電力制御インデックスを確定する場合、前記第４パラメーター確定モジュールは、
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、各キャリア組それぞれに対応する電力制御インデックスを確定し、または、各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックス及び前記ユーザリア組それぞれに対応する電力制御インデックスオフセットを確定し、または、前記ユーザー設備に対応する１個の電力制御インデックス及び前記ユーザリア組それぞれに対応する電力制御インデックスオフセットを確定し、上位層シグナリングにより前記電力制御インデックス及び電力制御インデックスオフセットを前記ユーザー設備のために設定し、前記ユーザー設備に対応する電力制御インデックス及び各キャリア組それぞれに対応する電力制御インデックスオフセットに基づいて、各キャリア組それぞれに対応する電力制御インデックスを確定する。
【００４６】
仕様８または仕様８の第１の実施可能の方法を参照する。第２の実施可能の方法中において、前記第４電力制御命令送信モジュールは、
同一のキャリア組において動作し、且つ同一の電力制御-無線ネットワーク一時的識別子に対応するユーザー設備の、当該キャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、当該キャリア組に対応する検索対象キャリアの共通領域において、前記物理ダウンリンク制御チャネルを伝送する。
【００４７】
仕様８または仕様８の第１の実施可能の方法を参照する。第３の実施可能の方法において、前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアである。
【００４８】
仕様８または仕様８の第１の実施可能の方法を参照する。第４実施可能の方法において、前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子である。
【００４９】
仕様９
ユーザー設備は、
各キャリア組に対応する電力制御-無線ネットワーク一時的識別子及び各キャリア組に対応する電力制御インデックスを確定する、プライマリー・コンポーネントキャリアの共通領域において、ダウンリンク制御情報フォーマット３/３Ａが採用され、各キャリア組に対応する電力制御-無線ネットワーク一時的識別子でスクランブルされる物理ダウンリンク制御チャネルを検出し、また、各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から各キャリア組に対応するアップリンク電力制御命令を取得する第１プロセッサを備える。
【００５０】
仕様９を参照する。第１の実施可能の方法において、各キャリア組に対応する電力制御-無線ネットワーク一時的識別子を確定し、また、各キャリア組に対応する電力制御インデックスを確定する場合、前記第１プロセッサは、手段１、手段２及び手段３のいずれか１つを実行する。
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子である。
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なる。
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではない。
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なる。
【００５１】
仕様９の第１の実施可能の方法を参照し、第２の実施可能の方法において、
手段１または手段３を用いる場合、前記第１プロセッサは、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得する。
【００５２】
仕様９または仕様９の上述いずれの実施可能の方法を参照する。第３の実施可能の方法において、前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含む。
【００５３】
仕様１０
ネットワーク側設備は、
ユーザー設備の各キャリア組に対応する電力制御-無線ネットワーク一時的識別子及び各キャリア組に対応する電力制御インデックスを確定する第３プロセッサと、
各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備のプライマリー・コンポーネントキャリアの共通領域において、前記物理ダウンリンク制御チャネルを送信する第３通信ポートとを備える。
【００５４】
仕様１０を参照し、第１の実施可能の方法において、ユーザー設備の各キャリア組に対応する電力制御-無線ネットワーク一時的識別子を確定し、また、ユーザー設備の各キャリア組に対応する電力制御インデックスを確定する場合、前記第３プロセッサは、手段１、手段２及び手段３のいずれが１つを利用する。
手段１：
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子である。
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、異なるキャリア組に対応する電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定する。または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、異なるキャリア組に対応する電力制御インデックスそれぞれは、異なる。
手段２：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、異なるキャリア組に対応する電力制御-無線ネットワーク一時的識別子それぞれは、異なる。
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、各キャリア組それぞれに対応する電力制御インデックスを確定する。
手段３：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、上位層シグナリングにより前記電力制御-無線ネットワーク一時的識別子を前記ユーザー設備のために設定し、ここで、各キャリア組に対応する電力制御-無線ネットワーク一時的識別子は、全部同一ではない。
前記ユーザー設備との事前協議により、前記ユーザー設備の各キャリア組それぞれに対応する１個の電力制御インデックスを確定し、または、前記ユーザー設備の各キャリア組それぞれに対応する１個の電力制御インデックスを確定し、上位層シグナリングにより前記電力制御インデックスを前記ユーザー設備のために設定し、ここで、同一の電力制御-無線ネットワーク一時的識別子に対応するキャリア組の対応の電力制御インデックスそれぞれは、異なり、または、前記ユーザー設備との事前協議により、前記ユーザー設備に対応する１個の電力制御インデックスと、前記ユーザー設備の各キャリア組それぞれに対応する電力制御インデックスオフセットとを確定し、または、前記ユーザー設備に対応する１個の電力制御インデックスと、前記ユーザー設備の各キャリア組それぞれに対応する電力制御インデックスオフセットとを確定し、上位層シグナリングにより前記電力制御インデックス及び電力制御インデックスオフセットを前記ユーザー設備のために設定し、前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定し、ここで、同一の電力制御-無線ネットワーク一時的識別子に対応するキャリア組の対応の電力制御インデックスそれぞれは、異なる。
【００５５】
仕様１０の第１の実施可能の方法を参照する。第２の実施可能の方法において、
手段２または手段３を用いる場合、前記第３通信ポートは、
前記ユーザー設備の、異なる電力制御-無線ネットワーク一時的識別子に対応するキャリア組に対応するアップリンク電力制御命令を、ダウンリンク制御情報フォーマット３/３Ａが採用され、且つ対応の前記異なる電力制御-無線ネットワーク一時的識別子それぞれが用いられてスクランブルする物理ダウンリンク制御チャネルにマッピングし、異なるダウンリンクサブフレームそれぞれにより、前記ユーザー設備のプライマリー・コンポーネントキャリアの共通領域において、前記複数の物理ダウンリンク制御チャネルを伝送し、
または、
手段１または手段３を用いる場合、前記第３通信ポートは、
前記ユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信し、
または、
前記第３通信ポートは、異なるユーザー設備の、同一の電力制御-無線ネットワーク一時的識別子に対応するキャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、前記ユーザー設備のプライマリー・コンポーネントキャリアの共通領域において、前記物理ダウンリンク制御チャネルを送信する。
【００５６】
仕様１０または仕様１０的上述いずれの実施可能の方法を参照する。第３の実施可能の方法において、前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含む。
【００５７】
仕様１１
ユーザー設備は、
各キャリア組に対応する電力制御-無線ネットワーク一時的識別子及び各キャリア組に対応する電力制御インデックスを確定する、各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアである，以及各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得する第２プロセッサを備える。
【００５８】
仕様１１を参照する。第１の実施可能の方法において、各キャリア組に対応する電力制御-無線ネットワーク一時的識別子を確定し、また、各キャリア組に対応する電力制御インデックスを確定する場合、前記第２プロセッサは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
【００５９】
仕様１１または仕様１１の第１の実施可能の方法を参照し、第２の実施可能の方法において、前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアである。
【００６０】
仕様１１または仕様１１の第１の実施可能の方法を参照しながら、第３の実施可能の方法において、前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子である。
【００６１】
仕様１２
ネットワーク側設備は、
電力制御-無線ネットワーク一時的識別子及びユーザー設備の各キャリア組に対応する電力制御インデックスを確定する第４プロセッサと、
各キャリア組に対応する電力制御インデックスに基づいて、当該キャリア組に対応するアップリンク電力制御命令を、ダウンリンク制御情報３/３Ａが採用された物理ダウンリンク制御チャネルにおける対応の位置にマッピングし、当該キャリア組に対応する電力制御-無線ネットワーク一時的識別子を用いて、前記物理ダウンリンク制御チャネルをスクランブルし、前記ユーザー設備の当該キャリア組に対応する検索対象キャリアの共通領域において、前記物理ダウンリンク制御チャネルを伝送し、前記各キャリア組に対応する検索対象キャリアは、上位層シグナリングにより事前設定され、または前記ユーザー設備と事前協議した当該キャリア組の１つのキャリアである第４通信ポートとを備える。
【００６２】
仕様１２を参照する。第１の実施可能の方法において、ユーザー設備の各キャリア組に対応する電力制御-無線ネットワーク一時的識別子を確定し、また、ユーザー設備の各キャリア組に対応する電力制御インデックスを確定する場合、前記第４プロセッサは、
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、上位層シグナリングにより前記電力制御-無線ネットワーク一時的識別子を前記ユーザー設備のために設定し、前記ユーザー設備に対応する電力制御-無線ネットワーク一時的識別子は、当該ユーザー設備の各キャリア組に対応する電力制御-無線ネットワーク一時的識別子であり、
前記ユーザー設備との事前協議により、前記ユーザー設備に対応する１個の電力制御インデックスを確定し、または、前記ユーザー設備に対応する１個の電力制御インデックスを確定し、上位層シグナリングにより前記電力制御インデックスを前記ユーザー設備のために設定し、前記ユーザー設備に対応する電力制御インデックスは、当該ユーザー設備の各キャリア組に対応する電力制御インデックスであり、または、前記ユーザー設備との事前協議により、各キャリア組それぞれに対応する電力制御インデックスを確定し、または、各キャリア組それぞれに対応する１個の電力制御インデックスを確定し、上位層シグナリングにより前記電力制御インデックスを前記ユーザー設備のために設定し、または、前記ユーザー設備との事前協議により、前記ユーザー設備に対応する１個の電力制御インデックス及び前記ユーザリア組それぞれに対応する電力制御インデックスオフセットを確定し、または、前記ユーザー設備に対応する１個の電力制御インデックス及び前記ユーザリア組それぞれに対応する電力制御インデックスオフセットを確定し、上位層シグナリングにより前記電力制御インデックス及び電力制御インデックスオフセットを前記ユーザー設備のために設定し、前記ユーザー設備に対応する電力制御インデックス及び各キャリア組それぞれに対応する電力制御インデックスオフセットに基づいて、各キャリア組それぞれに対応する電力制御インデックスを確定する。
【００６３】
仕様１２または仕様１２の第１の実施可能の方法を参照する。第２の実施可能の方法において、前記第４通信ポートは、
同一のキャリア組において動作し、且つ同一の電力制御-無線ネットワーク一時的識別子に対応するユーザー設備の、当該キャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、当該キャリア組に対応する検索対象キャリアの共通領域において、前記物理ダウンリンク制御チャネルを伝送する。
【００６４】
仕様１２または仕様１２の第１の実施可能の方法を参照する。第３の実施可能の方法において、前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアである。
【００６５】
仕様１２または仕様１２の第１の実施可能の方法を参照して、第４実施可能の方法において、前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子である。
【発明の効果】
【００６６】
本発明に係る実施例が提供する技術案は、ユーザー設備のプライマリー・キャリアの共通領域において、各キャリア組に対応する電力制御インデックスにより指示する物理ダウンリンク制御チャネル位置で、各キャリア組に対応する電力制御-セル無線ネットワーク一時的識別子を用いてスクランブルした後、ダウンリンク制御情報フォーマット３/３Ａで各キャリア組に対応するアップリンク電力制御命令を伝送する。または、各キャリア組の検索対象キャリアの共通領域において、キャリア組に対応する電力制御インデックスにより示す物理ダウンリンク制御チャネル位置で、キャリア組に対応する電力制御-セル無線ネットワーク一時的識別子を用いてスクランブルした後、ダウンリンク制御情報フォーマット３/３Ａで各キャリア組に対応するアップリンク電力制御命令を伝送する。これにより、ユーザー設備が異なるキャリア組に対応する異なるアップリンクキャリアにてアップリンクチャネルを伝送することをサポートする場合、対応のアップリンク電力制御命令の伝送を行ない、システムの正常且つ安定な運行を確保できるようにする。
【図面の簡単な説明】
【００６７】
【図１】図１は本発明の第１の実現方法実施例により提供するＵＥ側方法のフローチャートである。
【図２】図２は本発明の第１の実現方法実施例により提供するネットワーク側方法のフローチャートである。
【図３】図３は本発明の第２の実現方法実施例により提供するＵＥ側方法のフローチャートである。
【図４】図４は本発明の第２の実現方法実施例により提供するネットワーク側方法のフローチャートである。
【図５】図５は本発明の第１の実現方法実施例により提供するユーザー設備の構造図である。
【図６】図６は本発明の第１の実現方法実施例により提供するネットワーク側設備の構造図である。
【図７】図７は本発明の第２の実現方法実施例により提供するユーザー設備の構造図である。
【図８】図８は本発明の第２の実現方法実施例により提供するネットワーク側設備の構造図である。
【図９】図９は本発明の第１の実現方法実施例により提供するユーザー設備エンティティーの構造図である。
【図１０】図１０は本発明の第１の実現方法実施例により提供するネットワーク側設備エンティティーの構造図である。
【図１１】図１１は本発明の第２の実現方法実施例により提供するユーザー設備エンティティーの構造図である。
【図１２】図１２は本発明の第２の実現方法実施例により提供するネットワーク側設備エンティティーの構造図である。
【発明を実施するための形態】
【００６８】
本発明に係る実施例の目的、技術案及びメリットを明確にするため、以下、本発明に係る実施例の図面を参照しながら、本発明に係る実施例の技術案を説明する。説明する実施例は、本発明の一部の実施例であるが、全部の実施例ではない。本発明に説明する実施例に基づいて、当業者が創造力を発揮しない限り、得た他の実施例は、本発明の保護範囲になる。
【００６９】
ＵＥが異なるキャリア組に対応する異なるアップリンクキャリアにでアップリンクチャネルを伝送することをサポートする場合、本発明に係る実施例の技術案は、ＵＥのために設定したアグリゲイションされたキャリアから、アップリンクＴＰＣ命令を伝送するキャリアを事前に確定する。アップリンクＴＰＣ命令を取得する必要がある場合、アップリンクＴＰＣ命令を伝送するキャリアの共通領域において、ＤＣＩ ｆｏｒｍａｔ３/３Ａが採用され、且つ各キャリア組に対応するＴＰＣ-ＲＮＴＩでスクランブルしたＰＤＣＣＨにて各キャリア組に対応するアップリンクＴＰＣ命令（ここで、各キャリア組に対応するアップリンクＴＰＣ命令のＰＤＣＣＨでの位置は、各キャリア組に対応するＴＰＣ-ｉｎｄｅｘにより示す）を取得することにより、ユーザー設備が異なるキャリア組に対応する異なるアップリンクキャリアにてアップリンクチャネルを伝送することをサポートする場合、対応のアップリンクＴＰＣ命令を伝送且つ取得して、システムの正常、且つ安定な運行を確保できるようにする。
【００７０】
本発明に係る実施例により提供するアップリンクＴＰＣ命令の伝送は、２つの実現方法がある。１つの実現方法において、アップリンクＴＰＣ命令を伝送するキャリアは、ＵＥのＰＣＣである。これに応じて、ＵＥのＰＣＣの共通領域において、各キャリア組に対応するＴＰＣ-ｉｎｄｅｘにより示す当該キャリア組のＴＰＣ命令のＰＤＣＣＨでの位置に従い、当該キャリア組に対応するＴＰＣ-ＲＮＴＩを用いてスクランブルされ、且つ、ＤＣＩ ｆｏｒｍａｔ３/３Ａが採用されたＰＤＣＣＨにおいて、各キャリア組に対応するアップリンクＴＰＣ命令を伝送する。ここで、同一のＴＰＣ-ＲＮＴＩを有する各キャリア組に対応するアップリンクＴＰＣ命令は、同一のＰＤＣＣＨ二おいて伝送されることができる。他の実現方法において、各キャリア組において、１個特定のキャリアを設定して、当該キャリア組に対応するアップリンクＴＰＣ命令を伝送するキャリアとし、検索対象キャリアとも称される。これに応じて、各キャリア組の検索対象キャリアの共通領域において、当該キャリア組に対応するＴＰＣ-ｉｎｄｅｘにより示す当該キャリア組のＴＰＣ命令のＰＤＣＣＨでの位置に従い、当該キャリア組に対応するＴＰＣ-ＲＮＴＩを用いてスクランブルされ、且つ、ＤＣＩ ｆｏｒｍａｔ３/３Ａが採用されたＰＤＣＣＨにおいて、当該キャリア組に対応するアップリンクＴＰＣ命令を伝送する。
【００７１】
以下、図面を参照しながら、本発明に係る実施例により提供する技術案を詳細に説明する。
【００７２】
本発明に係る実施例により提供する上記第１のアップリンクＴＰＣ命令の伝送方法において、そのＵＥ側の実現方法は図１に示すように、ステップ１００と、ステップ１１０と、ステップ１２０とを備える。
【００７３】
ステップ１００において、各キャリア組に対応するＴＰＣ-ＲＮＴＩ及び各キャリア組に対応するＴＰＣ-ｉｎｄｅｘを確定する。
【００７４】
ここで、キャリア組は、ＵＥのアグリゲイションされたキャリアに対して分けたキャリア組である。
【００７５】
ステップ１１０において、ＰＣＣの共通領域中において、ＤＣＩ ｆｏｒｍａｔ３/３Ａが採用され、且つ各キャリア組に対応するＴＰＣ-ＲＮＴＩを用いてスクランブルされたＰＤＣＣＨを検出する。
【００７６】
ここで、ＰＣＣは、ＵＥのために設定したＰＣＣである。ステップ１１０において、ＤＣＩ ｆｏｒｍａｔ３/３Ａが採用され、且つステップ１００にて確定した各キャリア組に対応するＴＰＣ-ＲＮＴＩを利用してＰＣＣの共通領域において、各キャリア組に対応するＴＰＣ-ＲＮＴＩでスクランブルしたＰＤＣＣＨに対してブラインド検出を行う。ここで、検出したＰＤＣＣＨ数は、具体的なＴＰＣ-ＲＮＴＩ設定情報により決め、ＵＥの複数のキャリア組が同一のＴＰＣ-ＲＮＴＩに対応する場合、１個のみのＰＤＣＣＨを検出する可能性があり、ＵＥの複数のキャリア組に対応するＴＰＣ-ＲＮＴＩが完全に同一ではない場合、複数のＰＤＣＣＨを検出する可能性がある。
【００７７】
ステップ１２０において、各キャリア組に対応するＴＰＣ-ｉｎｄｅｘに基づいて、検出した、当該キャリア組に対応するＴＰＣ-ＲＮＴＩでスクランブルしたＰＤＣＣＨにおいて、当該キャリア組に対応するアップリンクＴＰＣ命令の位置を確定し、かつ、対応の位置から当該キャリア組に対応するアップリンクＴＰＣ命令を取得する。
【００７８】
ここで、ＴＰＣ-ｉｎｄｅｘは、キャリア組に対応するアップリンクＴＰＣ命令のＰＤＣＣＨでの位置を示す。
【００７９】
キャリア組に対応するアップリンクＴＰＣ命令とは、当該キャリア組に対応する、アップリンク制御情報を伝送するための、特定キャリアにおけるアップリンクチャネル（ＰＵＣＣＨのみであってもよいし、ＰＵＳＣＨ及びＳＲＳを含んでもよい）のアップリンクＴＰＣ命令であることもできるし、当該キャリア組におけるいずれのアップリンクキャリア上のアップリンクチャネル（ＰＵＣＣＨ、ＰＵＳＣＨ及びＳＲＳであることができる）のアップリンクＴＰＣ命令であることもできる。
【００８０】
ステップ１１０において、各キャリア組に対応するＴＰＣ-ＲＮＴＩでブラインド検出を行う過程では、ブラインド検出が成功すれば、対応のＰＤＣＣＨをに対するスクランブル解析が成功する。かつ、当該ＰＤＣＣＨとＴＰＣ-ＲＮＴＩの対応関係を確定でき、即ち、当該ＰＤＣＣＨと各キャリア組の対応関係を確定できる。そのため、ステップ１２０において、キャリア組ｉに対応するアップリンクＴＰＣ命令のＰＤＣＣＨでの位置を確定した後、キャリア組ｉに対応するＴＰＣ-ＲＮＴＩからスクランブル解析されたＰＤＣＣＨより、対応のアップリンクＴＰＣ命令を取得する。
【００８１】
図１に示すアップリンクＴＰＣ命令の伝送方法の実施例に基づいて、ステップ１００の具体実現方法は多様である、以下、いくつかの例を挙げる。
【００８２】
（一）
上位層シグナリングの指示またはネットワーク側との事前協議に基づいて、ＵＥに対応する１個のＴＰＣ-ＲＮＴＩを確定し、当該ＵＥに対応するＴＰＣ-ＲＮＴＩは、当該ＵＥの各キャリア組に対応するＴＰＣ-ＲＮＴＩである。
【００８３】
上位層シグナリングの指示またはネットワーク側との事前協議に基づいて、各キャリア組それぞれに対応する１個のＴＰＣ-ｉｎｄｅｘを確定する。または、上位層シグナリングの指示またはネットワーク側との事前協議に基づいて、ＵＥに対応する１個のＴＰＣ-ｉｎｄｅｘ、及び各キャリア組それぞれに対応する電力制御インデックスオフセット（ＴＰＣ-ｉｎｄｅｘ-ｏｆｆｓｅｔ）を確定する。当該ＵＥに対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【００８４】
例えば、ＵＥに対応するＴＰＣ-ｉｎｄｅｘはＴＰＣ-ｉｎｄｅｘＵＥであり、キャリア組ｉに対応するＴＰＣ-ｉｎｄｅｘ-ｏｆｆｓｅｔはＴＰＣ-ｉｎｄｅｘ-ｏｆｆｓｅｔｉであると、キャリア組ｉに対応するＴＰＣ-ｉｎｄｅｘはＴＰＣ-ｉｎｄｅｘＵＥ+ＴＰＣ-ｉｎｄｅｘ-ｏｆｆｅｓｔｉである。
【００８５】
ここで、各キャリア組に対応するＴＰＣ-ＲＮＴＩが同一であれば、各キャリア組に対応するアップリンクＴＰＣ命令が同一のＰＤＣＣＨにパッケージされて送信される可能性があるため、異なるキャリア組に対応するＴＰＣ-ｉｎｄｅｘがそれぞれ異なることを事前に確定する必要がある。
【００８６】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。
【００８７】
ステップ１００の第（一）実現方法に基づいて、ｅＮＢはＵＥのためにＴＰＣ-ＰＵＣＣＨ-ＲＮＴＩＵＥを設定し、且つＳ１のためにＴＰＣ-ｉｎｄｅｘ１を設定し、Ｓ２のためにＴＰＣ-ｉｎｄｅｘ２を設定する。
【００８８】
ここで、ＴＰＣ-ｉｎｄｅｘ１とＴＰＣ-ｉｎｄｅｘ２は異なる。
【００８９】
ＵＥ側にてアップリンクＴＰＣ命令伝送を実現する具体的な方法は、以下で説明する。
【００９０】
キャリアＣ１の共通領域において、ＤＣＩ ｆｏｒｍａｔ３/３Ａを採用し且つＴＰＣ-ＰＵＣＣＨ-ＲＮＴＩＵＥでスクランブルするＰＤＣＣＨを検出する。
【００９１】
ＴＰＣ-ｉｎｄｅｘ１に基づいて、Ｓ１に対応するアップリンクＴＰＣ命令の、検出したＰＤＣＣＨにおける位置を検出し、且つ、対応の位置からＳ１に対応するアップリンクＴＰＣ命令を取得する。
【００９２】
ＴＰＣ-ｉｎｄｅｘ２に基づいて、Ｓ２に対応するアップリンクＴＰＣ命令在検出したＰＤＣＣＨにおける位置を確定し、対応の位置からＳ２に対応するアップリンクＴＰＣ命令を取得する。
【００９３】
ステップ１００の第（一）実現方法に基づいて、ｅＮＢはＵＥのためにＴＰＣ-ＰＵＣＣＨ-ＲＮＴＩＵＥ及びＴＰＣ-ｉｎｄｅｘＵＥを設定し、且つＳ１のために、ＴＰＣ-ｉｎｄｅｘ-ｏｆｆｓｅｔ１を設定し、Ｓ２のためにＴＰＣ-ｉｎｄｅｘ-ｏｆｆｓｅｔ２を設定する。
【００９４】
ここで、ＴＰＣ-ｉｎｄｅｘ-ｏｆｆｓｅｔ１とＴＰＣ-ｉｎｄｅｘ-ｏｆｆｓｅｔ２は異なる。
【００９５】
ＵＥ側においてアップリンクＴＰＣ命令伝送を実現する具体的な実現方法は、下記で説明する。
【００９６】
キャリアＣ１の共通領域において、ＤＣＩ ｆｏｒｍａｔ３/３Ａを採用し且つＴＰＣ-ＰＵＣＣＨ-ＲＮＴＩＵＥでスクランブルするＰＤＣＣＨを検出する。
【００９７】
ＴＰＣ-ｉｎｄｅｘＵＥ +ＴＰＣ-ｉｎｄｅｘ-ｏｆｆｓｅｔ１に基づいて、Ｓ１に対応するアップリンクＴＰＣ命令の、検出したＰＤＣＣＨにおける位置を確定し、且つ、対応の位置からＳ１に対応するアップリンクＴＰＣ命令を取得する。
【００９８】
ＴＰＣ-ｉｎｄｅｘＵＥ +ＴＰＣ-ｉｎｄｅｘ-ｏｆｆｓｅｔ２に基づいて、Ｓ２に対応するアップリンクＴＰＣ命令の、検出したＰＤＣＣＨにおける位置を確定し、対応の位置からＳ２に対応するアップリンクＴＰＣ命令を取得する。
【００９９】
（二）
上位層シグナリングの指示またはネットワーク側との事前協議に基づいて、各キャリア組それぞれに対応する１個のＴＰＣ-ＲＮＴＩを確定する。異なるキャリア組に対応するＴＰＣ-ＲＮＴＩそれぞれは、異なる。
【０１００】
上位層シグナリングの指示またはネットワーク側との事前協議に基づいて、ＵＥに対応する１個のＴＰＣ-ｉｎｄｅｘを確定し、当該ＵＥに対応するＴＰＣ-ｉｎｄｅｘは、当該ＵＥの各キャリア組に対応するＴＰＣ-ｉｎｄｅｘである。
【０１０１】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。
【０１０２】
ステップ１００の第（二）実現方法に基づいて、ｅＮＢはＵＥのためにＴＰＣ-ｉｎｄｅｘＵＥを設定し、且つ、Ｓ１のためにＴＰＣ-ＰＵＣＣＨ-ＲＮＴＩ１を設定し、Ｓ２のためにＴＰＣ-ＰＵＣＣＨ-ＲＮＴＩ ２を設定する。
【０１０３】
ここで、ＴＰＣ-ＰＵＣＣＨ-ＲＮＴＩ１とＴＰＣ-ＰＵＣＣＨ-ＲＮＴＩ２は異なる。
【０１０４】
ＵＥ側において、アップリンクＴＰＣ命令伝送を実現する具体的な実現方法は以下で説明する。
【０１０５】
キャリアＣ１の共通領域において、ＤＣＩ ｆｏｒｍａｔ３/３Ａを採用し且つＴＰＣ-ＰＵＣＣＨ-ＲＮＴＩ１を利用してスクランブルをするＰＤＣＣＨ１と、ＴＰＣ-ＰＵＣＣＨ-ＲＮＴＩ２を利用してスクランブルするＰＤＣＣＨ２とを検出する。
【０１０６】
ＴＰＣ-ｉｎｄｅｘＵＥに基づいて、Ｓ１に対応するアップリンクＴＰＣ命令の、検出したＰＤＣＣＨ１における位置を確定し、且つ、対応の位置からＳ１に対応するアップリンクＴＰＣ命令を取得する。
【０１０７】
ＴＰＣ-ｉｎｄｅｘＵＥに基づいて、Ｓ２に対応するアップリンクＴＰＣ命令の検出したＰＤＣＣＨ２における位置を確定し、対応の位置からＳ２に対応するアップリンクＴＰＣ命令を取得する。
【０１０８】
（三）
上位層シグナリングの指示またはネットワーク側との事前協議に基づいて、各キャリア組それぞれに対応する１個のＴＰＣ-ＲＮＴＩを確定する。異なるキャリア組に対応するＴＰＣ-ＲＮＴＩそれぞれは、異なる。
【０１０９】
上位層シグナリングの指示またはネットワーク側との事前協議に基づいて、各キャリア組それぞれに対応する１個のＴＰＣ-ｉｎｄｅｘを確定する。または、上位層シグナリングの指示またはネットワーク側との事前協議に基づいて、ＵＥに対応する１個のＴＰＣ-ｉｎｄｅｘと、各キャリア組それぞれに対応するＴＰＣ-ｉｎｄｅｘ-ｏｆｆｓｅｔとを確定する。当該ＵＥに対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０１１０】
異なるキャリア組に対応するＴＰＣ-ＲＮＴＩがそれぞれ異なり、異なるキャリア組に対応するアップリンクＴＰＣ命令が異なるＰＤＣＣＨにおいて伝送されるため、異なるキャリア組に対応するＴＰＣ-ｉｎｄｅｘは、同一であってもよいし、異なてもよい。
【０１１１】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。
【０１１２】
ステップ１００の第（三）実現方法に基づいて、ｅＮＢは、Ｓ１のためにＴＰＣ-ＰＵＣＣＨ-ＲＮＴＩ１及びＴＰＣ-ｉｎｄｅｘ１を設定し、Ｓ２のためにＴＰＣ-ＰＵＣＣＨ-ＲＮＴＩ ２及びＴＰＣ-ｉｎｄｅｘ２を設定する。
【０１１３】
ここで、ＴＰＣ-ＰＵＣＣＨ-ＲＮＴＩ１とＴＰＣ-ＰＵＣＣＨ-ＲＮＴＩ２は異なる，ＴＰＣ-ｉｎｄｅｘ１とＴＰＣ-ｉｎｄｅｘ２は、同一であってもよいし、異なてもよい。
【０１１４】
ＵＥ側においてアップリンクＴＰＣ命令伝送を実現する具体的な実現方法は、下記で説明する。
【０１１５】
キャリアＣ１の共通領域において、ＤＣＩ ｆｏｒｍａｔ３/３Ａを採用し且つＴＰＣ-ＰＵＣＣＨ-ＲＮＴＩ１を利用してスクランブルをするＰＤＣＣＨ１と、ＴＰＣ-ＰＵＣＣＨ-ＲＮＴＩ２を利用してスクランブルするＰＤＣＣＨ２とを検出する。
【０１１６】
ＴＰＣ-ｉｎｄｅｘ１に基づいて、Ｓ１に対応するアップリンクＴＰＣ命令の、検出したＰＤＣＣＨ１における位置を確定し、且つ、対応の位置からＳ１に対応するアップリンクＴＰＣ命令を取得する。
【０１１７】
ＴＰＣ-ｉｎｄｅｘ２に基づいて、Ｓ２に対応するアップリンクＴＰＣ命令の検出したＰＤＣＣＨ２における位置を確定し、対応の位置からＳ２に対応するアップリンクＴＰＣ命令を取得する。
【０１１８】
（四）
上位層シグナリングの指示またはネットワーク側との事前協議に基づいて、各キャリア組それぞれに対応する１個のＴＰＣ-ＲＮＴＩを確定する。異なるキャリア組に対応するＴＰＣ-ＲＮＴＩは、完全に同一ではない。
【０１１９】
上位層シグナリングの指示またはネットワーク側との事前協議に基づいて、各キャリア組それぞれに対応する１個のＴＰＣ-ｉｎｄｅｘを確定する。または、上位層シグナリングの指示またはネットワーク側との事前協議に基づいて、ＵＥに対応する１個のＴＰＣ-ｉｎｄｅｘと、各キャリア組それぞれに対応するＴＰＣ-ｉｎｄｅｘ-ｏｆｆｓｅｔとを確定する。当該ＵＥに対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０１２０】
ここで、同一のＴＰＣ-ＲＮＴＩに対応するキャリア組、即ちこれらのキャリア組に対応するＴＰＣ-ｉｎｄｅｘは、それぞれ異なる。
【０１２１】
異なるＴＰＣ-ＲＮＴＩに対応するキャリア組、即ちこれらのキャリア組に対応するＴＰＣ-ｉｎｄｅｘは、同一であってもよいし、異なてもよい。
【０１２２】
好ましくは、上記ステップ１００の第（一）または第（四）実現方法をベースにしたうえ、ステップ１２０の具体的な実現方法は次のようである。ＵＥの複数のキャリア組が同一のＴＰＣ-ＲＮＴＩに対応する場合、検出した、当該ＴＰＣ-ＲＮＴＩを利用してスクランブルする１個のＰＤＣＣＨにおいて、前記同一のＴＰＣ-ＲＮＴＩに対応する各キャリア組に対応するＴＰＣ-ｉｎｄｅｘそれぞれに基づいて、前記各キャリア組に対応するアップリンクＴＰＣ命令の位置を確定し、且つ対応の位置から前記各キャリア組に対応するアップリンクＴＰＣ命令を取得する。
【０１２３】
本発明に係る実施例により提供する上述第１のアップリンクＴＰＣ命令の伝送方法に対し、ネットワーク側の実現方法は図２に示すように、下記のステップを含む。
【０１２４】
ステップ２００において、ＵＥの各キャリア組に対応するＴＰＣ-ＲＮＴＩ及び各キャリア組に対応するＴＰＣ-ｉｎｄｅｘを確定する。
【０１２５】
ステップ２１０において、各キャリア組に対応するＴＰＣ-ｉｎｄｅｘに基づいて、当該キャリア組に対応するアップリンクＴＰＣ命令を、ＤＣＩ ｆｏｒｍａｔ３/３Ａを採用するＰＤＣＣＨにおける対応の位置にマッピングし、当該キャリア組に対応するＴＰＣ-ＲＮＴＩでＰＤＣＣＨをスクランブルし、当該ＵＥのＰＣＣの共通領域において、アップリンクＴＰＣ命令がマッピングされたＰＤＣＣＨを送信する。
【０１２６】
ここで、アップリンクＴＰＣ命令をどちらかのＰＤＣＣＨにマッピングするのは、対応のＴＰＣ-ＲＮＴＩ、アップリンクＴＰＣ命令のサイズ、リソース占有状態により確定されるが、具体的なマッピング規則について限定しない。例えば、同一のＴＰＣ-ＲＮＴＩに対応する複数のキャリア組の場合、対応のアップリンクＴＰＣ命令は、同一のＰＤＣＣＨにマッピングすることができる。異なるＴＰＣ-ＲＮＴＩに対応する複数のキャリア組の場合、対応のアップリンクＴＰＣ命令は、異なるＰＤＣＣＨにマッピングされるが、具体的に、アップリンクＴＰＣ命令をどちらかのＰＤＣＣＨにマッピングするのは、従来のリソース割り当てる規則に基づいて確定することができる。
【０１２７】
基地局側実施例の記述において、ＵＥ側と対応する技術構成は、具体的な実現方法は、ＵＥ側の実施例を参照することができるので、その以上説明しない。
【０１２８】
図２に示すアップリンクＴＰＣ命令の伝送方法実施例に基づいて、ステップ２００の具体的な実現方法について、以下で例を挙げる。
【０１２９】
（一）
前記ＵＥとの事前協議により、当該ＵＥに対応する１個のＴＰＣ-ＲＮＴＩを確定する。または、前記ＵＥに対応する１個のＴＰＣ-ＲＮＴＩを確定し、上位層シグナリングにより当該ＴＰＣ-ＲＮＴＩを当該ＵＥのために設定する。ここで、当該ＵＥに対応するＴＰＣ-ＲＮＴＩは当該ＵＥの各キャリア組に対応するＴＰＣ-ＲＮＴＩである。
【０１３０】
前記ＵＥとの事前協議により、当該ＵＥの各キャリア組それぞれに対応する１個のＴＰＣ-ｉｎｄｅｘを確定する。または、前記ＵＥの各キャリア組それぞれに対応する１個のＴＰＣ-ｉｎｄｅｘを確定し、上位層シグナリングにより当該ＴＰＣ-ｉｎｄｅｘを当該ＵＥのために設定する。または、前記ＵＥとの事前協議により、当該ＵＥに対応する１個のＴＰＣ-ｉｎｄｅｘ、及び当該ＵＥの各キャリア組それぞれに対応するＴＰＣ-ｉｎｄｅｘ-ｏｆｆｓｅｔを確定し、または、前記ＵＥに対応する１個のＴＰＣ-ｉｎｄｅｘ、及び当該ＵＥの各キャリア組それぞれに対応するＴＰＣ-ｉｎｄｅｘ-ｏｆｆｓｅｔを確定し、上位層シグナリングにより当該ＴＰＣ-ｉｎｄｅｘ及びＴＰＣ-ｉｎｄｅｘ-ｏｆｆｓｅｔを当該ＵＥのために設定する。当該ＵＥに対応するＴＰＣ-ｉｎｄｅｘ及び当該ＵＥの各キャリア組それぞれに対応するＴＰＣ-ｉｎｄｅｘ-ｏｆｆｓｅｔに基づいて、当該ＵＥの各キャリア組それぞれに対応するＴＰＣ-ｉｎｄｅｘを確定する。
【０１３１】
ここで、異なるキャリア組に対応するＴＰＣ-ｉｎｄｅｘは、それぞれ異なる。
【０１３２】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。
【０１３３】
ステップ２００の第（一）実現方法に基づいて、ｅＮＢはＵＥのためにＴＰＣ-ＰＵＣＣＨ-ＲＮＴＩＵＥを設定し、且つＳ１のためにＴＰＣ-ｉｎｄｅｘ１を設定し、Ｓ２のためにＴＰＣ-ｉｎｄｅｘ２を設定する。
【０１３４】
ここで、ＴＰＣ-ｉｎｄｅｘ１とＴＰＣ-ｉｎｄｅｘ２は異なる。
【０１３５】
ネットワーク側設備がアップリンクＴＰＣ命令伝送を実現する実現方法は、以下で説明する。
【０１３６】
ＴＰＣ-ｉｎｄｅｘ１に基づいてＳ１に対応するアップリンクＴＰＣ命令のＰＤＣＣＨでの位置を確定する。
【０１３７】
ＴＰＣ-ｉｎｄｅｘ２に基づいて、Ｓ２に対応するアップリンクＴＰＣ命令のＰＤＣＣＨでの位置を確定する。
【０１３８】
ＴＰＣ-ＰＵＣＣＨ-ＲＮＴＩＵＥで、アップリンクＴＰＣ命令を伝送するＣ１の共通領域におけるＰＤＣＣＨをスクランブルした後、Ｓ１に対応するアップリンクＴＰＣ命令の当該ＰＤＣＣＨにおける位置及びＳ２に対応するアップリンクＴＰＣ命令の当該ＰＤＣＣＨにおける位置により、当該ＰＤＣＣＨにおいて、ＤＣＩ ｆｏｒｍａｔ３/３Ａで、Ｓ１に対応するアップリンクＴＰＣ命令及びＳ２に対応するアップリンクＴＰＣ命令を送信する。
【０１３９】
ステップ２００の第（一）実現方法に基づいて、ｅＮＢはＵＥのためにＴＰＣ-ＰＵＣＣＨ-ＲＮＴＩＵＥ及びＴＰＣ-ｉｎｄｅｘＵＥを設定し、且つＳ１のために、ＴＰＣ-ｉｎｄｅｘ-ｏｆｆｓｅｔ１を設定し、Ｓ２のためにＴＰＣ-ｉｎｄｅｘ-ｏｆｆｓｅｔ２を設定する。
【０１４０】
ここで、ＴＰＣ-ｉｎｄｅｘ-ｏｆｆｓｅｔ１とＴＰＣ-ｉｎｄｅｘ-ｏｆｆｓｅｔ２は異なる。
【０１４１】
ネットワーク側設備がアップリンクＴＰＣ命令伝送を実現する具体的な実現方法は、以下で説明する。
【０１４２】
ＴＰＣ-ｉｎｄｅｘＵＥ+ＴＰＣ-ｉｎｄｅｘ-ｏｆｆｓｅｔ１に基づいて、Ｓ１に対応するアップリンクＴＰＣ命令のＰＤＣＣＨでの位置を確定する。
【０１４３】
ＴＰＣ-ｉｎｄｅｘＵＥ+ＴＰＣ-ｉｎｄｅｘ-ｏｆｆｓｅｔ１に基づいて、Ｓ２に対応するアップリンクＴＰＣ命令のＰＤＣＣＨでの位置を確定する。
【０１４４】
ＴＰＣ-ＰＵＣＣＨ-ＲＮＴＩＵＥで、アップリンクＴＰＣ命令を伝送するＣ１の共通領域におけるＰＤＣＣＨをスクランブルした後、Ｓ１に対応するアップリンクＴＰＣ命令の当該ＰＤＣＣＨにおける位置及びＳ２に対応するアップリンクＴＰＣ命令の当該ＰＤＣＣＨにおける位置により、当該ＰＤＣＣＨにおいて、ＤＣＩ ｆｏｒｍａｔ３/３Ａで、Ｓ１に対応するアップリンクＴＰＣ命令及びＳ２に対応するアップリンクＴＰＣ命令を送信する。
【０１４５】
（二）
前記ＵＥとの事前協議により、当該ＵＥの各キャリア組それぞれに対応する１個のＴＰＣ-ＲＮＴＩを確定する。または、前記ＵＥの各キャリア組それぞれに対応する１個のＴＰＣ-ＲＮＴＩを確定し、上位層シグナリングにより当該ＴＰＣ-ＲＮＴＩを当該ＵＥのために設定する。ここで、異なるキャリア組に対応するＴＰＣ-ＲＮＴＩそれぞれは、異なる。
【０１４６】
前記ＵＥとの事前協議により、当該ＵＥに対応するＴＰＣ-ｉｎｄｅｘと、当該ＵＥに対応する１個のＴＰＣ-ｉｎｄｅｘ（即ち当該ＵＥの各キャリア組に対応するＴＰＣ-ｉｎｄｅｘである）とを確定する。または、前記ＵＥに対応する１個のＴＰＣ-ｉｎｄｅｘを確定し、上位層シグナリングにより当該ＴＰＣ-ｉｎｄｅｘを当該ＵＥのために設定する。
【０１４７】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。
【０１４８】
ステップ２００の第（二）実現方法に基づいて、ｅＮＢはＵＥのためにＴＰＣ-ｉｎｄｅｘＵＥを設定し、且つ、Ｓ１のためにＴＰＣ-ＰＵＣＣＨ-ＲＮＴＩ１を設定し、Ｓ２のためにＴＰＣ-ＰＵＣＣＨ-ＲＮＴＩ ２を設定する。 
【０１４９】
ここで、ＴＰＣ-ＰＵＣＣＨ-ＲＮＴＩ１とＴＰＣ-ＰＵＣＣＨ-ＲＮＴＩ２は異なる。
【０１５０】
ネットワーク側設備がアップリンクＴＰＣ命令伝送を実現する実現方法は、以下で説明する。
【０１５１】
ＴＰＣ-ｉｎｄｅｘに基づいて、ＵＥはＳ１に対応するアップリンクＴＰＣ命令の、ＰＤＣＣＨ１における位置を確定する。
【０１５２】
ＴＰＣ-ｉｎｄｅｘに基づいて、ＵＥはＳ２に対応するアップリンクＴＰＣ命令の、ＰＤＣＣＨ２における位置を確定する。
【０１５３】
ＴＰＣ-ＰＵＣＣＨ-ＲＮＴＩ１で、Ｓ１に対応するアップリンクＴＰＣ命令を伝送することに用いられるＣ１の共通領域におけるＰＤＣＣＨ１をスクランブルした後、Ｓ１に対応するアップリンクＴＰＣ命令の、当該ＰＤＣＣＨ１における位置により、当該ＰＤＣＣＨ１において、ＤＣＩ ｆｏｒｍａｔ３/３ＡでＳ１に対応するアップリンクＴＰＣ命令を送信する。
【０１５４】
ＴＰＣ-ＰＵＣＣＨ-ＲＮＴＩ２で、Ｓ２に対応するアップリンクＴＰＣ命令を伝送することに用いられるＣ１の共通領域におけるＰＤＣＣＨ２をスクランブルした後、Ｓ２に対応するアップリンクＴＰＣ命令の、当該ＰＤＣＣＨ２における位置により、当該ＰＤＣＣＨ２において、ＤＣＩ ｆｏｒｍａｔ３/３Ａで、Ｓ２に対応するアップリンクＴＰＣ命令を送信する。
【０１５５】
（三）
前記ＵＥとの事前協議により、当該ＵＥの各キャリア組それぞれに対応する１個のＴＰＣ-ＲＮＴＩを確定する。または、前記ＵＥの各キャリア組それぞれに対応する１個のＴＰＣ-ＲＮＴＩを確定し、上位層シグナリングにより当該ＴＰＣ-ＲＮＴＩを当該ＵＥのために設定する。ここで、異なるキャリア組に対応するＴＰＣ-ＲＮＴＩそれぞれは、異なる。
【０１５６】
前記ＵＥとの事前協議により、当該ＵＥの各キャリア組それぞれに対応する１個のＴＰＣ-ｉｎｄｅｘを確定する。または、前記ＵＥの各キャリア組それぞれに対応する１個のＴＰＣ-ｉｎｄｅｘを確定し、上位層シグナリングにより当該ＴＰＣ-ｉｎｄｅｘを当該ＵＥのために設定する。または、前記ＵＥとの事前協議により、当該ＵＥに対応する１個のＴＰＣ-ｉｎｄｅｘ、及び当該ＵＥの各キャリア組それぞれに対応するＴＰＣ-ｉｎｄｅｘ-ｏｆｆｓｅｔを確定し、または、前記ＵＥに対応する１個のＴＰＣ-ｉｎｄｅｘ、及び当該ＵＥの各キャリア組それぞれに対応するＴＰＣ-ｉｎｄｅｘ-ｏｆｆｓｅｔを確定し、上位層シグナリングにより当該ＴＰＣ-ｉｎｄｅｘ及びＴＰＣ-ｉｎｄｅｘ-ｏｆｆｓｅｔを当該ＵＥのために設定する。当該ＵＥに対応するＴＰＣ-ｉｎｄｅｘ及び当該ＵＥの各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０１５７】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。
【０１５８】
ステップ２００の第（三）実現方法に基づいて、ｅＮＢは、Ｓ１のためにＴＰＣ-ＰＵＣＣＨ-ＲＮＴＩ１及びＴＰＣ-ｉｎｄｅｘ１を設定し、Ｓ２のためにＴＰＣ-ＰＵＣＣＨ-ＲＮＴＩ ２及びＴＰＣ-ｉｎｄｅｘ２を設定する。
【０１５９】
ここで、ＴＰＣ-ＰＵＣＣＨ-ＲＮＴＩ１とＴＰＣ-ＰＵＣＣＨ-ＲＮＴＩ２は異なり、ＴＰＣ-ｉｎｄｅｘ１とＴＰＣ-ｉｎｄｅｘ２は、同一であってもよいし、異なてもよい。
【０１６０】
ネットワーク側設備がアップリンクＴＰＣ命令伝送を実現する具体的な実現方法は、以下で説明する。
【０１６１】
ＴＰＣ-ｉｎｄｅｘ１に基づいて、Ｓ１に対応するアップリンクＴＰＣ命令の、ＰＤＣＣＨ１における位置を確定する。
【０１６２】
ＴＰＣ-ｉｎｄｅｘ２に基づいて、Ｓ２に対応するアップリンクＴＰＣ命令の、ＰＤＣＣＨ２における位置を確定する。
【０１６３】
ＴＰＣ-ＰＵＣＣＨ-ＲＮＴＩ１で、Ｓ１に対応するアップリンクＴＰＣ命令を伝送することに用いられるＣ１の共通領域におけるＰＤＣＣＨ１をスクランブルした後、Ｓ１に対応するアップリンクＴＰＣ命令の、当該ＰＤＣＣＨ１における位置により、当該ＰＤＣＣＨ１において、ＤＣＩ ｆｏｒｍａｔ３/３ＡでＳ１に対応するアップリンクＴＰＣ命令を送信する。
【０１６４】
ＴＰＣ-ＰＵＣＣＨ-ＲＮＴＩ２で、Ｓ２に対応するアップリンクＴＰＣ命令を伝送することに用いられるＣ１の共通領域におけるＰＤＣＣＨ２をスクランブルした後、Ｓ２に対応するアップリンクＴＰＣ命令の、当該ＰＤＣＣＨ２における位置により、当該ＰＤＣＣＨ２において、ＤＣＩ ｆｏｒｍａｔ３/３Ａで、Ｓ２に対応するアップリンクＴＰＣ命令を送信する。
【０１６５】
（四）
前記ＵＥとの事前協議により、当該ＵＥの各キャリア組それぞれに対応する１個のＴＰＣ-ＲＮＴＩを確定する。または、前記ＵＥの各キャリア組それぞれに対応する１個のＴＰＣ-ＲＮＴＩを確定し、上位層シグナリングにより当該ＴＰＣ-ＲＮＴＩを当該ＵＥのために設定する。ここで、各キャリア組に対応するＴＰＣ-ＲＮＴＩは、完全に同一ではない。
【０１６６】
前記ＵＥとの事前協議により、当該ＵＥの各キャリア組それぞれに対応する１個のＴＰＣ-ｉｎｄｅｘを確定する。または、当該ＵＥの各キャリア組それぞれに対応する１個のＴＰＣ-ｉｎｄｅｘを確定し、上位層シグナリングにより当該ＴＰＣ-ｉｎｄｅｘを当該ＵＥのために設定する。または、前記ＵＥとの事前協議により、当該ＵＥに対応するＴＰＣ-ｉｎｄｅｘ、及び当該ＵＥの各キャリア組それぞれに対応するＴＰＣ-ｉｎｄｅｘ-ｏｆｆｓｅｔを確定し、または、前記ＵＥに対応する１個のＴＰＣ-ｉｎｄｅｘ、及び当該ＵＥの各キャリア組それぞれに対応するＴＰＣ-ｉｎｄｅｘ-ｏｆｆｓｅｔを確定し、上位層シグナリングにより当該ＴＰＣ-ｉｎｄｅｘ及びＴＰＣ-ｉｎｄｅｘ-ｏｆｆｓｅｔを当該ＵＥのために設定する。当該ＵＥに対応するＴＰＣ-ｉｎｄｅｘ及び当該ＵＥの各キャリア組それぞれに対応するＴＰＣ-ｉｎｄｅｘ-ｏｆｆｓｅｔに基づいて、当該ＵＥの各キャリア組それぞれに対応するＴＰＣ-ｉｎｄｅｘを確定する。
【０１６７】
ここで、同一のＴＰＣ-ＲＮＴＩに対応するキャリア組の場合、これらのキャリア組に対応するＴＰＣ-ｉｎｄｅｘは、それぞれ異なる。
【０１６８】
キャリア組に対応するＴＰＣ-ＲＮＴＩが異なる前記各基地局側実施例において、好ましくは、前記ＵＥに対応する異なるＴＰＣ-ＲＮＴＩのキャリア組に対応するアップリンクＴＰＣ命令を、ＤＣＩ ｆｏｒｍａｔ３/３Ａが採用され、且つ対応の異なるＴＰＣ-ＲＮＴＩでスクランブルするＰＤＣＣＨにマッピングすることができ、異なるダウンリンクサブフレームそれぞれにより、前記ＵＥのＰＣＣの共通領域において、アップリンクＴＰＣ命令がマッピングされた複数のＰＤＣＣＨを送信する。
【０１６９】
ＰＣＣの共通領域において、ＤＣＩ ｆｏｒｍａｔ３/３Ａで各キャリア組に対応するアップリンクＴＰＣ命令を伝送することは、１種のＴＰＣマルチキャスト伝送方法であるため、複数のＵＥのキャリア組に対応するアップリンクＴＰＣ命令は、同一のＰＤＣＣＨ二おいて伝送されることができる。同一のＰＤＣＣＨにおいて、異なるキャリア組に対応するアップリンクＴＰＣ命令を送信するには、同一のＴＰＣ-ＲＮＴＩでスクランブルする必要がある。そのため、当該第（一）実現方法でＴＰＣ-ＲＮＴＩ及びＴＰＣ-ｉｎｄｅｘを確定するうえ、好ましくは、同一のＵＥの各キャリア組が同一のＴＰＣ-ＲＮＴＩに対応すると、当該ＵＥの各キャリア組に対応するアップリンクＴＰＣ命令は、同一のＤＣＩ ｆｏｒｍａｔ ３/３Ａが採用され、且つ当該ＴＰＣ-ＲＮＴＩでスクランブルするＰＤＣＣＨにおいて送信されることができる。当該第（四）実現方法でＴＰＣ-ＲＮＴＩ及びＴＰＣ-ｉｎｄｅｘを確定するうえ、好ましくは、同一のＵＥの部分キャリア組が同一のＴＰＣ-ＲＮＴＩに対応すると、当該ＵＥの同一のＴＰＣ-ＲＮＴＩを有するキャリア組に対応するアップリンクＴＰＣ命令が、同一のＤＣＩ ｆｏｒｍａｔ ３/３Ａが採用され、且つ当該ＴＰＣ-ＲＮＴＩでスクランブルするＰＤＣＣＨにおいて送信されることができる。即ち、前記ＵＥの同一のＴＰＣ-ＲＮＴＩに対応するキャリア組に対応するアップリンクＴＰＣ命令を、ＤＣＩ ｆｏｒｍａｔ３/３Ａが採用され、且つ当該同一のＴＰＣ-ＲＮＴＩでスクランブルする同一のＰＤＣＣＨにマッピングし、当該ＵＥのＰＣＣの共通領域において、当該ＰＤＣＣＨを送信する。
【０１７０】
また、当該第（四）実現方法でＴＰＣ-ＲＮＴＩ及びＴＰＣ-ｉｎｄｅｘを確定するうえ、前記ＵＥのキャリア組ｉに対応するＴＰＣ-ＲＮＴＩと同一であり且つ対応のＴＰＣ-ｉｎｄｅｘが異なる他のＵＥのキャリア組の場合、対応のアップリンクＴＰＣ命令は、前記ＵＥのキャリア組ｉに対応するアップリンクＴＰＣ命令とともに、同一のＤＣＩ ｆｏｒｍａｔ３/３Ａが採用され且つ同一のＴＰＣ-ＲＮＴＩでスクランブルするＰＤＣＣＨにおいて送信されることができる。これに応じて、前記キャリア組分けの仮説をベースとして、システムにおける各ＵＥのキャリア組分けが同一であり且つＰＣＣがＣ１であるとさらに仮説する。そうであれば、Ｓ１の例を挙げる場合、異なるＵＥにより、Ｓ１のために設定したＴＰＣ-ＰＵＣＣＨ-ＲＮＴＩまたはＴＰＣ-ｉｎｄｅｘは、異なる。
【０１７１】
前記いずれかのネットワーク側の実施例に基づいて、好ましくは、ステップ２１０の具体的な実現方法は、次のようにすることもできる。異なるＵＥの、同一のＴＰＣ-ＲＮＴＩに対応するキャリア組に対応するアップリンクＴＰＣ命令を、同一のＤＣＩ ｆｏｒｍａｔ３/３Ａが採用され且つ前記同一のＴＰＣ-ＲＮＴＩでスクランブルするＰＤＣＣＨにマッピングし、当該ＵＥのＰＣＣの共通領域において、当該ＰＤＤＣＨを送信する。
【０１７２】
本発明に係る実施例により提供する上述第２のアップリンクＴＰＣ命令の伝送方法について、ＵＥ側の実現方法は、図３に示すように、具体的に以下のステップを備える。
【０１７３】
ステップ３００において、各キャリア組に対応するＴＰＣ-ＲＮＴＩ及び各キャリア組に対応するＴＰＣ-ｉｎｄｅｘを確定する。
【０１７４】
ここで、キャリア組は、ＵＥのアグリゲイションされたキャリアに対して分けたキャリア組である。
【０１７５】
ステップ３１０において、各キャリア組に対応する検索対象キャリアの共通領域において、ダウンリンクＤＣＩ ｆｏｒｍａｔ３/３Ａが採用され且つ当該キャリア組に対応するＴＰＣ-ＲＮＴＩでスクランブルしたＰＤＣＣＨを検出する。
【０１７６】
ここで、各キャリア組に対応する検索対象キャリアは、上位層シグナリングにより事前設定されまたはネットワーク側と事前協議した当該キャリア組の１つのキャリアである。
【０１７７】
ここで、ＰＤＣＣＨの具体的な検出方法は、第１の実現方法におけるＵＥ側の実施例の説明を参照することができ、この以上説明しない。
【０１７８】
ステップ３２０において、各キャリア組に対応するＴＰＣ-ｉｎｄｅｘに基づいて、各キャリア組に対応するアップリンクＴＰＣ命令の、当該キャリア組に対応する検索対象キャリア上で検出したＰＤＣＣＨにおける位置を確定し、かつ、対応の位置から当該キャリア組に対応するアップリンクＴＰＣ命令を取得する。
【０１７９】
ステップ３２０の具体的な実現方法は、第１の実現方法におけるＵＥ側の実施例の説明を参照することができ、この以上説明しない。
【０１８０】
異なるキャリア組に対応するアップリンクＴＰＣそれぞれが異なるキャリアにおいて伝送されるため、ステップ３００において、各キャリア組に対応するＴＰＣ-ＲＮＴＩを確定する好ましい実現方法は、次のようにすることができる。上位層シグナリングの指示またはネットワーク側との事前協議に基づいて、ＵＥに対応する１個のＴＰＣ-ＲＮＴＩを確定し、当該ＵＥに対応するＴＰＣ-ＲＮＴＩは、当該ＵＥの各キャリア組に対応するＴＰＣ-ＲＮＴＩである。もちろん、各キャリア組に対応するＴＰＣ-ＲＮＴＩそれぞれが同一であるかまたは完全に同一ではないように、事前に設定することができる。
【０１８１】
各キャリア組に対応するＴＰＣ-ｉｎｄｅｘの好ましい実現方法は、次のようにすることができる。上位層シグナリングの指示またはネットワーク側との事前協議に基づいて、ＵＥに対応する１個のＴＰＣ-ｉｎｄｅｘを確定し、当該ＵＥに対応するＴＰＣ-ｉｎｄｅｘ即当該ＵＥの各キャリア組に対応するＴＰＣ-ｉｎｄｅｘ。もちろん、上位層シグナリングの指示またはネットワーク側との事前協議に基づいて、各キャリア組それぞれに対応する１個のＴＰＣ-ｉｎｄｅｘを確定することもできる。また、上位層シグナリングの指示またはネットワーク側との事前協議に基づいて、ＵＥに対応する１個のＴＰＣ-ｉｎｄｅｘと、各キャリア組それぞれに対応するＴＰＣ-ｉｎｄｅｘ-ｏｆｆｓｅｔとを確定し、当該ＵＥに対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定することもできる。
【０１８２】
前記第２のアップリンクＴＰＣ命令伝送のＵＥ側の実施例において、好ましくは、各キャリア組に対応する検索対象キャリアは、当該キャリア組の、当該キャリア組に対応する、アップリンク制御情報を伝送するアップリンクキャリアとペアとなる１個のダウンリンクキャリアであってもよいし、または、当該キャリア組におけるダウンリンクＰＣＣであってもよい。
【０１８３】
キャリアＣ１及びＣ２を含むキャリア組Ｓ１の例を挙げる。ＦＤＤシステムにおいて、キャリアＣ１は、アップリンクキャリアＣＵＬ１及びダウンリンクキャリアＣＤＬ１を含む。キャリアＣ２は、アップリンクキャリアＣＵＬ２及びダウンリンクキャリアＣＤＬ２を含む。ＣＵＬ１がアップリンク制御情報の伝送に用いれば、ペアとなるダウンリンクキャリアは、ＣＤＬ１である。ＴＤＤシステムにおいて、ＴＤＤアップリンク/ダウンリンク構成に基づいて、ダウンリンクサブフレームの場合、キャリアＣ１及びキャリアＣ２はダウンリンクキャリアであり、アップリンクサブフレームの場合、キャリアＣ１及びキャリアＣ２は、アップリンクキャリアである。Ｃ１がアップリンクサブフレームにてアップリンク制御情報を伝送すれば、ダウンリンクサブフレームタイミングのＣ１は、対応のペアダウンリンクキャリアである。
【０１８４】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。Ｓ１において、アップリンク制御情報を伝送Ｒするキャリアは、Ｃ１であり、Ｓ２において、アップリンク制御情報を伝送するキャリアは、Ｃ４である。
【０１８５】
ｅＮＢは、Ｓ１に対応する検索対象キャリアをＣ１のために設定し、Ｓ２に対応する検索対象キャリアをＣ４のために設定する。
【０１８６】
ｅＮＢはＵＥのためにＴＰＣ-ｉｎｄｅｘＵＥを設定し、且つＵＥのためにＴＰＣ-ＰＵＣＣＨ-ＲＮＴＩＵＥを設定する。
【０１８７】
ＵＥ側において、アップリンクＴＰＣ命令伝送を実現する実現方法は、以下で説明する。
【０１８８】
Ｃ１の共通領域において、ダウンリンクＤＣＩ ｆｏｒｍａｔ３/３Ａが採用され且つＴＰＣ-ＰＵＣＣＨ-ＲＮＴＩＵＥでスクランブルするＰＤＣＣＨ１を検出する。
【０１８９】
Ｃ４的共通領域において、ダウンリンクＤＣＩ ｆｏｒｍａｔ３/３Ａが採用され且つＴＰＣ-ＰＵＣＣＨ-ＲＮＴＩＵＥでスクランブルするＰＤＣＣＨ２を検出する。
【０１９０】
ＴＰＣ-ｉｎｄｅｘに基づいて、ＵＥはＳ１に対応するアップリンクＴＰＣ命令の、ＰＤＣＣＨ１における位置を確定し、且つ、対応の位置からＳ１に対応するアップリンクＴＰＣ命令を取得する。
【０１９１】
ＴＰＣ-ｉｎｄｅｘに基づいて、ＵＥはＳ２に対応するアップリンクＴＰＣ命令の、ＰＤＣＣＨ２における位置を確定し、且つ、対応の位置からＳ２に対応するアップリンクＴＰＣ命令を取得する。
【０１９２】
本発明に係る実施例により提供する上述第２のアップリンクＴＰＣ命令の伝送方法について、其ネットワーク側実現方法は図４に示すように、具体的に以下のステップを備える。
【０１９３】
ステップ４００において、ＵＥの各キャリア組に対応するＴＰＣ-ＲＮＴＩ及び各キャリア組に対応するＴＰＣ-ｉｎｄｅｘを確定する。
【０１９４】
ステップ４１０において、各キャリア組に対応するＴＰＣ-ｉｎｄｅｘに基づいて、当該キャリア組に対応するアップリンクＴＰＣ命令を、ＤＣＩ ｆｏｒｍａｔ３/３Ａを採用するＰＤＣＣＨにおける対応の位置にマッピングし、且つ、当該キャリア組に対応するＴＰＣ-ＲＮＴＩでアップリンクＴＰＣ命令がマッピングされたＰＤＣＣＨをスクランブルし、当該ＵＥの当該キャリア組に対応する検索対象キャリアの共通領域において、ＰＤＣＣＨを送信する。
【０１９５】
ここで、各キャリア組に対応する検索対象キャリアは、上位層シグナリングにより事前に設定されたキャリアであるか、または、当該ＵＥと事前に協議した当該キャリア組の１つのキャリアである。
【０１９６】
当該ネットワーク側の実施例は、図１に示す実施例と類似する技術構造を有し、具体的な実現方法は、前記ＵＥ側の実施例を説明を参照することができるため、この以上説明しない。
【０１９７】
異なるキャリア組に対応するアップリンクＴＰＣそれぞれが異なるキャリアにおいて伝送されるため、ステップ４００において、各キャリア組に対応するＴＰＣ-ＲＮＴＩを確定する好ましい実現方法は、次のようにすることができる。前記ＵＥとの事前協議により、当該ＵＥに対応する１個のＴＰＣ-ＲＮＴＩを確定する。または、前記ＵＥに対応する１個のＴＰＣ-ＲＮＴＩを確定し、上位層シグナリングにより当該ＴＰＣ-ＲＮＴＩを当該ＵＥのために設定する。当該ＵＥに対応するＴＰＣ-ＲＮＴＩは、当該ＵＥの各キャリア組に対応するＴＰＣ-ＲＮＴＩである。もちろん、各キャリア組に対応するＴＰＣ-ＲＮＴＩそれぞれが同一でありまたは完全に同一ではないように、事前に設定することができる。
【０１９８】
各キャリア組に対応するＴＰＣ-ｉｎｄｅｘを確定する好ましい実現方法は、以下のようにすることができる。前記ＵＥとの事前協議により、当該ＵＥに対応するＴＰＣ-ｉｎｄｅｘを確定する。または、前記ＵＥに対応する１個のＴＰＣ-ｉｎｄｅｘを確定し、上位層シグナリングにより当該ＴＰＣ-ｉｎｄｅｘを当該ＵＥのために設定する。当該ＵＥに対応するＴＰＣ-ｉｎｄｅｘは、各キャリア組に対応するＴＰＣ-ｉｎｄｅｘである。もちろん、前記ＵＥとの事前協議により、各キャリア組それぞれに対応するＴＰＣ-ｉｎｄｅｘを確定することもできる。また、各キャリア組それぞれに対応する１個のＴＰＣ-ｉｎｄｅｘを確定し、上位層シグナリングにより当該ＴＰＣ-ｉｎｄｅｘを当該ＵＥのために設定することもできる。また、前記ＵＥとの事前協議により、当該ＵＥに対応するＴＰＣ-ｉｎｄｅｘ、及び各キャリア組それぞれに対応するＴＰＣ-ｉｎｄｅｘ-ｏｆｆｓｅｔを確定し、当該ＵＥに対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定することもできる。当該ＵＥに対応する１個のＴＰＣ-ｉｎｄｅ、及び各キャリア組それぞれに対応するＴＰＣ-ｉｎｄｅｘ-ｏｆｆｓｅｔを確定し、且つ上位層シグナリングにより、当該ＴＰＣ-ｉｎｄｅ及びＴＰＣ-ｉｎｄｅｘ-ｏｆｆｓｅｔを当該ＵＥのために設定し、当該ＵＥに対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０１９９】
ＰＣＣの共通領域において、ＤＣＩ ｆｏｒｍａｔ３/３Ａで各キャリア組に対応するアップリンクＴＰＣ命令を伝送することが、ＴＰＣマルチキャスト伝送方法であるため、同一のキャリア組にて動作する複数のＵＥのキャリア組に対応するアップリンクＴＰＣ命令は、同一のＰＤＣＣＨ二おいて伝送されることができる。同一のＰＤＣＣＨにおいて、異なるキャリア組に対応するアップリンクＴＰＣ命令を送信するには、同一のＴＰＣ-ＲＮＴＩでスクランブルする必要がある。よって、前記第２のアップリンクＴＰＣ命令伝送のネットワーク側の実施例において、好ましくは、同一のキャリア組において動作する、同一のＴＰＣ-ＲＮＴＩに対応するユーザー設備の、当該キャリア組に対応するアップリンクＴＰＣ命令を、ＤＣＩ ｆｏｒｍａｔ３/３Ａが採用され且つ同一のＴＰＣ-ＲＮＴＩでスクランブルするＰＤＣＣＨにマッピングし、当該キャリア組に対応する検索対象キャリアの共通領域において、当該ＰＤＣＣＨを送信する。
【０２００】
また、本発明が提供する第２のアップリンクＴＰＣ命令の伝送方法において、各キャリア組に対応するアップリンクＴＰＣ命令は、それぞれ各自に対応する検索対象キャリアにおいて伝送される。そのため、同一のキャリア組において動作する異なるＵＥのキャリア組に対応するアップリンクＴＰＣ命令が同一のＰＤＣＣＨにおいて伝送できる前提としては、これらのキャリア組が同一の検索対象キャリアに対応することである。
【０２０１】
前記第２のアップリンクＴＰＣ命令伝送のネットワーク側の実施例において、好ましくは、各キャリア組に対応する検索対象キャリアは、当該キャリア組の、当該キャリア組に対応する、アップリンク制御情報を伝送するアップリンクキャリアとペアとなる１個のダウンリンクキャリアであってもよいし、または、当該キャリア組におけるダウンリンクＰＣＣであってもよい。
【０２０２】
前記第２のアップリンクＴＰＣ命令を伝送するネットワーク側の実施例において、好ましくは、ネットワーク側は、ＵＥのために各キャリア組の検索対象キャリアを事前に設定する。これに応じて、前記ＵＥの各キャリア組のために、検索対象キャリアを設定し、設定結果を上位層シグナリングにより当該ＵＥに送信する。
【０２０３】
システムにおいて、４個のキャリアＣ１、Ｃ２、Ｃ３及びＣ４をアグリゲーションしたと仮設する。Ｃ１はＵＥのＰＣＣであり、且つ４個のキャリアは２個のキャリア組に分けられる。ここで、キャリア組Ｓ１={Ｃ１，Ｃ２}であり、キャリア組Ｓ２={Ｃ３，Ｃ４ }である。Ｓ１において、アップリンク制御情報を伝送するキャリアはＣ１であり、Ｓ２において、アップリンク制御情報を伝送するキャリアはＣ４である。
【０２０４】
ｅＮＢは、Ｓ１に対応する検索対象キャリアをＣ１にするようのために設定し、Ｓ２に対応する検索対象キャリアをＣ４にするようのために設定する。
【０２０５】
ｅＮＢはＵＥのためにＴＰＣ-ｉｎｄｅｘＵＥを設定し、ＵＥのためにＴＰＣ-ＰＵＣＣＨ-ＲＮＴＩＵＥを設定する。
【０２０６】
ネットワーク側設備がアップリンクＴＰＣ命令伝送を実現する具体的な実現方法は、以下で説明する。
【０２０７】
ＴＰＣ-ｉｎｄｅｘに基づいて、ＵＥはＳ１に対応するアップリンクＴＰＣ命令の、ＰＤＣＣＨ１における位置を確定する。
【０２０８】
ＴＰＣ-ｉｎｄｅｘＵＥに基づいて、Ｓ１に対応するアップリンクＴＰＣ命令の、ＰＤＣＣＨ２における位置を確定する。
【０２０９】
ＴＰＣ-ＰＵＣＣＨ-ＲＮＴＩＵＥでＣ１の公共検索空間におけるＰＤＣＣＨ１をスクランブルした後、Ｓ１に対応するアップリンクＴＰＣ命令の、ＰＤＣＣＨ１における位置により、ＰＤＣＣＨ１において、ＤＣＩ ｆｏｒｍａｔ３/３ＡでＳ１に対応するアップリンクＴＰＣ命令を送信する。
【０２１０】
ＴＰＣ-ＰＵＣＣＨ-ＲＮＴＩＵＥでＣ４の公共検索空間におけるＰＤＣＣＨ２をスクランブルした後、Ｓ２に対応するアップリンクＴＰＣ命令の、ＰＤＣＣＨ２における位置により、在ＰＤＣＣＨ２において、ＤＣＩ ｆｏｒｍａｔ３/３ＡでＳ２に対応するアップリンクＴＰＣ命令を送信する。
【０２１１】
本発明に係る実施例提供の第１のアップリンクＴＰＣ命令の伝送方法について、本発明に係る実施例は、ユーザー設備を更に提供し，当該設備は、図５に示すように、以下の構造を備える。
【０２１２】
第１パラメーター確定モジュール５０１は、各キャリア組に対応するＴＰＣ-ＲＮＴＩ及び各キャリア組に対応するＴＰＣ-ｉｎｄｅｘを確定する。
【０２１３】
第１チャネル検索モジュール５０２は、ＰＣＣの共通領域中において、ＤＣＩ ｆｏｒｍａｔ３/３Ａが採用され、且つ各キャリア組に対応するＴＰＣ-ＲＮＴＩを用いてスクランブルされたＰＤＣＣＨを検出する。
【０２１４】
第１電力制御命令取得モジュール５０３は、各キャリア組に対応するＴＰＣ-ｉｎｄｅｘに基づいて、検出した、当該キャリア組に対応するＴＰＣ-ＲＮＴＩでスクランブルしたＰＤＣＣＨにおいて、当該キャリア組に対応するアップリンクＴＰＣ命令の位置を確定し、かつ、対応の位置から当該キャリア組に対応するアップリンクＴＰＣ命令を取得する。
【０２１５】
好ましくは、図５に示すユーザー設備実施例に基づいて、各キャリア組に対応するＴＰＣ-ＲＮＴＩを確定する場合、前記第１パラメーター確定モジュール５０１は以下のことに用いられる。
【０２１６】
上位層シグナリングの指示またはネットワーク側との事前協議に基づいて、ユーザー設備に対応する１個のＴＰＣ-ＲＮＴＩを確定し、前記ユーザー設備に対応するＴＰＣ-ＲＮＴＩは、当該ユーザー設備各キャリア組に対応するＴＰＣ-ＲＮＴＩである。
【０２１７】
各キャリア組に対応するＴＰＣ-ｉｎｄｅｘを確定する場合、前記第１パラメーター確定モジュール５０１は以下のことに用いられる。
【０２１８】
上位層シグナリングの指示またはネットワーク側との事前協議に基づいて、各キャリア組それぞれに対応する１個のＴＰＣ-ｉｎｄｅｘを確定し、異なるキャリア組に対応するＴＰＣ-ｉｎｄｅｘは、それぞれ異なる。
【０２１９】
または、上位層シグナリングの指示またはネットワーク側との事前協議に基づいて、ユーザー設備に対応する１個のＴＰＣ-ｉｎｄｅｘと、各キャリア組それぞれに対応するＴＰＣ-ｉｎｄｅｘ-ｏｆｆｓｅｔとを確定し、前記ユーザー設備に対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。異なるキャリア組に対応するＴＰＣ-ｉｎｄｅｘは、それぞれ異なる。
【０２２０】
好ましくは、図５に示すユーザー設備実施例に基づいて、各キャリア組に対応するＴＰＣ-ＲＮＴＩを確定する場合、前記第１パラメーター確定モジュール５０１は以下のことに用いられる。
【０２２１】
上位層シグナリングの指示またはネットワーク側との事前協議に基づいて、各キャリア組それぞれに対応する１個のＴＰＣ-ＲＮＴＩを確定する。異なるキャリア組に対応するＴＰＣ-ＲＮＴＩそれぞれは、異なる。
【０２２２】
各キャリア組に対応するＴＰＣ-ｉｎｄｅｘを確定する場合、前記第１パラメーター確定モジュール５０１は以下のことに用いられる。
【０２２３】
上位層シグナリングの指示またはネットワーク側との事前協議に基づいて、ユーザー設備に対応する１個のＴＰＣ-ｉｎｄｅｘを確定し、当該ユーザー設備に対応するＴＰＣ-ｉｎｄｅｘは、当該ユーザー設備の各キャリア組に対応するＴＰＣ-ｉｎｄｅｘである。
【０２２４】
または、上位層シグナリングの指示またはネットワーク側との事前協議に基づいて、各キャリア組それぞれに対応する１個のＴＰＣ-ｉｎｄｅｘを確定する。
【０２２５】
または、上位層シグナリングの指示またはネットワーク側との事前協議に基づいて、ユーザー設備に対応する１個のＴＰＣ-ｉｎｄｅｘと、各キャリア組それぞれに対応するＴＰＣ-ｉｎｄｅｘ-ｏｆｆｓｅｔとを確定し、前記ユーザー設備に対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０２２６】
好ましくは、図５に示すユーザー設備実施例に基づいて、各キャリア組に対応するＴＰＣ-ＲＮＴＩを確定する場合、前記第１パラメーター確定モジュール５０１は以下のことに用いられる。
【０２２７】
上位層シグナリングの指示またはネットワーク側との事前協議に基づいて、各キャリア組それぞれに対応する１個のＴＰＣ-ＲＮＴＩを確定する。異なるキャリア組に対応するＴＰＣ-ＲＮＴＩは、完全に同一ではない。
【０２２８】
各キャリア組に対応するＴＰＣ-ｉｎｄｅｘを確定する場合、前記第１パラメーター確定モジュール５０１は以下のことに用いられる。
【０２２９】
上位層シグナリングの指示またはネットワーク側との事前協議に基づいて、各キャリア組それぞれに対応する１個のＴＰＣ-ｉｎｄｅｘを確定する。同一のＴＰＣ-ＲＮＴＩに対応するキャリア組の場合、対応のＴＰＣ-ｉｎｄｅｘは、それぞれ異なる。
【０２３０】
または、上位層シグナリングの指示またはネットワーク側との事前協議に基づいて、ユーザー設備に対応する１個のＴＰＣ-ｉｎｄｅｘと、各キャリア組それぞれに対応するＴＰＣ-ｉｎｄｅｘ-ｏｆｆｓｅｔとを確定し、前記ユーザー設備に対応するＴＰＣ-ｉｎｄｅｘ及び各キャリア組それぞれに対応するＴＰＣ-ｉｎｄｅｘに基づいて、各キャリア組それぞれに対応するＴＰＣ-ｉｎｄｅｘを確定する。同一のＴＰＣ-ＲＮＴＩに対応するキャリア組の場合、対応のＴＰＣ-ｉｎｄｅｘは、それぞれ異なる。
【０２３１】
ユーザー設備のキャリア組が同一のＴＰＣ-ＲＮＴＩに対応する場合、好ましくは、前記第１電力制御命令取得モジュール５０３は下記のことに用いられる。
【０２３２】
ユーザー設備の複数のキャリア組が同一のＴＰＣ-ＲＮＴＩに対応する場合、検出した、当該ＴＰＣ-ＲＮＴＩを利用してスクランブルする１個のＰＤＣＣＨにおいて、前記同一のＴＰＣ-ＲＮＴＩに対応する各キャリア組に対応するＴＰＣ-ｉｎｄｅｘそれぞれを利用して、前記各キャリア組に対応するアップリンクＴＰＣ命令の位置を確定し、対応の位置から前記各キャリア組に対応するアップリンクＴＰＣ命令を取得する。
【０２３３】
本発明に係る実施例により提供する第１のアップリンクＴＰＣ命令の伝送方法について、本発明に係る実施例はネットワーク側設備を更に提供し、図６に示すように、具体的に以下の構造を備える。
【０２３４】
第３パラメーター確定モジュール６０１は、ユーザー設備の各キャリア組に対応するＴＰＣ-ＲＮＴＩ及び各キャリア組に対応するＴＰＣ-ｉｎｄｅｘを確定する。
【０２３５】
第３電力制御命令送信モジュール６０２は、各キャリア組に対応するＴＰＣ-ｉｎｄｅｘに基づいて、当該キャリア組に対応するアップリンクＴＰＣ命令を、ＤＣＩ ｆｏｒｍａｔ３/３Ａを採用するＰＤＣＣＨにおける対応の位置にマッピングし、且つ、当該キャリア組に対応するＴＰＣ-ＲＮＴＩで前記ＰＤＣＣＨをスクランブルし、前記ユーザー設備のＰＣＣの共通領域において、前記ＰＤＣＣＨを送信する。
【０２３６】
好ましくは、図６に示すネットワーク側設備の実施例に基づいて、ユーザー設備の各キャリア組に対応するＴＰＣ-ＲＮＴＩを確定する場合、前記第３パラメーター確定モジュール６０１は、下記のことに用いられる。
【０２３７】
前記ユーザー設備との事前協議により、前記ユーザー設備に対応する１個のＴＰＣ-ＲＮＴを確定する。または、前記ユーザー設備に対応する１個のＴＰＣ-ＲＮＴを確定し、且つ、上位層シグナリングにより前記ＴＰＣ-ＲＮＴＩを前記ユーザー設備のために設定する。前記ユーザー設備に対応するＴＰＣ-ＲＮＴＩは、当該ユーザー設備の各キャリア組に対応するＴＰＣ-ＲＮＴＩである。
【０２３８】
ユーザー設備の各キャリア組に対応するＴＰＣ-ｉｎｄｅｘを確定する場合、前記第３パラメーター確定モジュールは、下記のことに用いられる。
【０２３９】
前記ユーザー設備との事前協議により、前記ユーザー設備の各キャリア組それぞれに対応する１個のＴＰＣ-ｉｎｄｅｘを確定するか、または、前記ユーザー設備の各キャリア組それぞれに対応する１個のＴＰＣ-ｉｎｄｅｘを確定し、且つ、上位層シグナリングにより、前記ＴＰＣ-ｉｎｄｅｘを前記ユーザー設備のために設定する。ここで、異なるキャリア組に対応するＴＰＣ-ｉｎｄｅｘは、それぞれ異なる。
【０２４０】
または、前記ユーザー設備との事前協議により、前記ユーザー設備に対応する１個のＴＰＣ-ｉｎｄｅｘ、及び前記ユーザー設備の各キャリア組それぞれに対応するＴＰＣ-ｉｎｄｅｘ-ｏｆｆｓｅｔを確定するか、または、前記ユーザー設備に対応する１個のＴＰＣ-ｉｎｄｅｘ、及び前記ユーザー設備の各キャリア組それぞれに対応するＴＰＣ-ｉｎｄｅｘ-ｏｆｆｓｅｔを確定し、上位層シグナリングにより、前記ＴＰＣ-ｉｎｄｅｘ及びＴＰＣ-ｉｎｄｅｘ-ｏｆｆｓｅｔを前記ユーザー設備のために設定する。前記ユーザー設備に対応するＴＰＣ-ｉｎｄｅｘ及び前記ユーザー設備の各キャリア組それぞれに対応するＴＰＣ-ｉｎｄｅｘ-ｏｆｆｓｅｔに基づいて、前記ユーザー設備の各キャリア組それぞれに対応するＴＰＣ-ｉｎｄｅｘを確定する。異なるキャリア組に対応するＴＰＣ-ｉｎｄｅｘは、それぞれ異なる。
【０２４１】
好ましくは、図６に示すネットワーク側設備の実施例に基づいて、ユーザー設備の各キャリア組に対応するＴＰＣ-ＲＮＴＩを確定する場合、前記第３パラメーター確定モジュール６０１は、下記のことに用いられる。
【０２４２】
前記ユーザー設備との事前協議により、前記ユーザー設備の各キャリア組それぞれに対応する１個のＴＰＣ-ＲＮＴＩを確定するか、または、前記ユーザー設備の各キャリア組それぞれに対応する１個のＴＰＣ-ＲＮＴＩを確定し、且つ、上位層シグナリングにより前記ＴＰＣ-ＲＮＴＩを前記ユーザー設備のために設定する。ここで、異なるキャリア組に対応するＴＰＣ-ＲＮＴＩそれぞれは、異なる。
【０２４３】
ユーザー設備の各キャリア組に対応するＴＰＣ-ｉｎｄｅｘを確定する場合、前記第３パラメーター確定モジュールは、下記のことに用いられる。
【０２４４】
前記ユーザー設備との事前協議により、前記ユーザー設備に対応する１個のＴＰＣ-ｉｎｄｅｘを確定するか、または、前記ユーザー設備に対応する１個のＴＰＣ-ｉｎｄｅｘを確定し、且つ、上位層シグナリングにより、前記ＴＰＣ-ｉｎｄｅｘを前記ユーザー設備のために設定する。前記ユーザー設備に対応するＴＰＣ-ｉｎｄｅｘは、当該ユーザー設備の各キャリア組に対応するＴＰＣ-ｉｎｄｅｘである。
【０２４５】
または、前記ユーザー設備との事前協議により、前記ユーザー設備の各キャリア組それぞれに対応する１個のＴＰＣ-ｉｎｄｅｘを確定する。
【０２４６】
または、前記ユーザー設備の各キャリア組それぞれに対応する１個のＴＰＣ-ｉｎｄｅｘを確定し、且つ、上位層シグナリングにより、前記ＴＰＣ-ｉｎｄｅｘを前記ユーザー設備のために設定する。
【０２４７】
または、前記ユーザー設備との事前協議により、前記ユーザー設備に対応する１個のＴＰＣ-ｉｎｄｅｘ、及び前記ユーザー設備の各キャリア組それぞれに対応するＴＰＣ-ｉｎｄｅｘ-ｏｆｆｓｅｔを確定し、または、前記ユーザー設備に対応する１個のＴＰＣ-ｉｎｄｅｘ、及び前記ユーザー設備の各キャリア組それぞれに対応するＴＰＣ-ｉｎｄｅｘ-ｏｆｆｓｅｔを確定し、上位層シグナリングにより、前記ＴＰＣ-ｉｎｄｅｘ及びＴＰＣ-ｉｎｄｅｘ-ｏｆｆｓｅｔを前記ユーザー設備のために設定する。前記ユーザー設備に対応するＴＰＣ-ｉｎｄｅｘ及び前記ユーザー設備の各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０２４８】
好ましくは、図６に示すネットワーク側設備の実施例に基づいて、ユーザー設備の各キャリア組に対応するＴＰＣ-ＲＮＴＩを確定する場合、前記第３パラメーター確定モジュール６０１は、下記のことに用いられる。
【０２４９】
前記ユーザー設備との事前協議により、前記ユーザー設備の各キャリア組それぞれに対応する１個のＴＰＣ-ＲＮＴＩを確定し、または、前記ユーザー設備の各キャリア組それぞれに対応する１個のＴＰＣ-ＲＮＴＩを確定し、且つ、上位層シグナリングにより前記ＴＰＣ-ＲＮＴＩを前記ユーザー設備のために設定する。ここで、各キャリア組に対応するＴＰＣ-ＲＮＴＩは、完全に同一ではない。
【０２５０】
ユーザー設備の各キャリア組に対応するＴＰＣ-ｉｎｄｅｘを確定する場合、前記第３パラメーター確定モジュールは、下記のことに用いられる。
【０２５１】
前記ユーザー設備との事前協議により、前記ユーザー設備の各キャリア組それぞれに対応する１個のＴＰＣ-ｉｎｄｅｘを確定するか、または、前記ユーザー設備の各キャリア組それぞれに対応する１個のＴＰＣ-ｉｎｄｅｘを確定し、且つ、上位層シグナリングにより、前記ＴＰＣ-ｉｎｄｅｘを前記ユーザー設備のために設定する。ここで、同一のＴＰＣ-ＲＮＴＩに対応するキャリア組の場合、対応のＴＰＣ-ｉｎｄｅｘは、それぞれ異なる。
【０２５２】
または、前記ユーザー設備との事前協議により、前記ユーザー設備に対応する１個のＴＰＣ-ｉｎｄｅｘ、及び前記ユーザー設備の各キャリア組それぞれに対応するＴＰＣ-ｉｎｄｅｘ-ｏｆｆｓｅｔを確定し、または、前記ユーザー設備に対応する１個のＴＰＣ-ｉｎｄｅｘ、及び前記ユーザー設備の各キャリア組それぞれに対応するＴＰＣ-ｉｎｄｅｘ-ｏｆｆｓｅｔを確定し、上位層シグナリングにより、前記ＴＰＣ-ｉｎｄｅｘ及びＴＰＣ-ｉｎｄｅｘ-ｏｆｆｓｅｔを前記ユーザー設備のために設定する。前記ユーザー設備に対応するＴＰＣ-ｉｎｄｅｘ及び前記ユーザー設備の各キャリア組それぞれに対応するＴＰＣ-ｉｎｄｅｘ-ｏｆｆｓｅｔに基づいて、前記ユーザー設備の各キャリア組それぞれに対応するＴＰＣ-ｉｎｄｅｘを確定する。同一のＴＰＣ-ＲＮＴＩに対応するキャリア組の場合、対応のＴＰＣ-ｉｎｄｅｘは、それぞれ異なる。
【０２５３】
好ましくは、図６に示すネットワーク側設備の各実施例に基づいて、前記第３電力制御命令送信モジュール６０２は、下記のことに用いられる。
【０２５４】
前記ユーザー設備の、異なるＴＰＣ-ＲＮＴＩに対応するキャリア組に対応するアップリンクＴＰＣ命令を、ＤＣＩ ｆｏｒｍａｔ３/３Ａが採用され且つ対応の前記異なるＴＰＣ-ＲＮＴＩでスクランブルするＰＤＣＣＨにマッピングし、異なるダウンリンクサブフレームそれぞれにより、前記ユーザー設備のＰＣＣの共通領域において、前記複数のＰＤＣＣＨを送信する。
【０２５５】
好ましくは、図６に示すネットワーク側設備の各実施例に基づいて、前記第３電力制御命令送信モジュール６０２は、下記のことに用いられる。
【０２５６】
前記ユーザー設備の、同一のＴＰＣ-ＲＮＴＩに対応するキャリア組に対応するアップリンクＴＰＣ命令を、同一のＤＣＩ ｆｏｒｍａｔ３/３Ａが採用され且つ前記同一のＴＰＣ-ＲＮＴＩでスクランブルするＰＤＣＣＨにマッピングし、前記ユーザー設備のＰＣＣの共通領域において、前記ＰＤＣＣＨを送信する。
【０２５７】
好ましくは、図６に示すネットワーク側設備の各実施例に基づいて、前記第３電力制御命令送信モジュール６０２は、下記のことに用いられる。
【０２５８】
異なるユーザー設備の、同一のＴＰＣ-ＲＮＴＩに対応するキャリア組に対応するアップリンク電力制御命令を、同一のＤＣＩ ｆｏｒｍａｔ３/３Ａが採用され且つ前記同一のＴＰＣ-ＲＮＴＩでスクランブルするＰＤＣＣＨにマッピングし、前記ユーザー設備のＰＣＣの共通領域において、前記ＰＤＣＣＨを送信する。
【０２５９】
本発明に係る実施例により提供する第２のアップリンクＴＰＣ命令の伝送方法について、本発明に係る実施例は、ユーザー設備を更に提供し、当該ユーザー設備は、図７に示すように、下記の構造を備える。
【０２６０】
第２パラメーター確定モジュール７０１は、各キャリア組に対応するＴＰＣ-ＲＮＴＩ及び各キャリア組に対応するＴＰＣ-ｉｎｄｅｘを確定する。
【０２６１】
第２チャネル検索モジュール７０２は、各キャリア組に対応する検索対象キャリアの共通領域において、ＤＣＩ ｆｏｒｍａｔ３/３Ａが採用され且つ当該キャリア組に対応するＴＰＣ-ＲＮＴＩでスクランブルしたＰＤＣＣＨを検出する。前記各キャリア組に対応する検索対象キャリアは、上位層シグナリングにより事前設定されまたはネットワーク側と事前協議した当該キャリア組の１つのキャリアである。
【０２６２】
第２電力制御命令取得モジュール７０３は、各キャリア組に対応するＴＰＣ-ｉｎｄｅｘに基づいて、各キャリア組に対応するアップリンク電力制御命令の、当該キャリア組に対応する検索対象キャリア上で検出した前記ＰＤＣＣＨにおける位置を確定し、対応の位置から当該キャリア組に対応するアップリンク電力制御命令を取得する。
【０２６３】
好ましくは、各キャリア組に対応するＴＰＣ-ＲＮＴＩを確定する場合、前記第２パラメーター確定モジュール７０１は、下記のことに用いられる。
【０２６４】
上位層シグナリングの指示またはネットワーク側との事前協議に基づいて、ユーザー設備に対応する１個のＴＰＣ-ＲＮＴＩを確定し、前記ユーザー設備に対応するＴＰＣ-ＲＮＴＩは、当該ユーザー設備の各キャリア組に対応するＴＰＣ-ＲＮＴＩである。
【０２６５】
各キャリア組に対応するＴＰＣ-ｉｎｄｅｘを確定する場合、前記第２パラメーター確定モジュールは、下記のことに用いられる。
【０２６６】
上位層シグナリングの指示またはネットワーク側との事前協議に基づいて、ユーザー設備に対応する１個のＴＰＣ-ｉｎｄｅｘを確定し、前記ユーザー設備に対応するＴＰＣ-ｉｎｄｅｘは、当該ユーザー設備の各キャリア組に対応するＴＰＣ-ｉｎｄｅｘである。
【０２６７】
または、上位層シグナリングの指示またはネットワーク側との事前協議に基づいて、各キャリア組それぞれに対応する１個のＴＰＣ-ｉｎｄｅｘを確定する。
【０２６８】
または、上位層シグナリングの指示またはネットワーク側との事前協議に基づいて、ユーザー設備に対応する１個のＴＰＣ-ｉｎｄｅｘと、各キャリア組それぞれに対応するＴＰＣ-ｉｎｄｅｘ-ｏｆｆｓｅｔとを確定する。前記ユーザー設備に対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０２６９】
好ましくは、図７に示す各ユーザー設備の実施例に基づいて、各キャリア組に対応する検索対象キャリアは、当該キャリア組中当該キャリア組に対応する、アップリンク制御情報を伝送するアップリンクキャリアとペアとなる１個のダウンリンクキャリアであるか、または、当該キャリア組におけるダウンリンクＰＣＣである。
【０２７０】
本発明に係る実施例により提供する第２のアップリンクＴＰＣ命令の伝送方法について、本発明に係る実施例は、ネットワーク側設備を更に提供し、当該ネットワーク側設備は、図８に示すように、以下の構造を備える。
【０２７１】
第４パラメーター確定モジュール８０１は、ユーザー設備の各キャリア組に対応するＴＰＣ-ＲＮＴＩ及び各キャリア組に対応するＴＰＣ-ｉｎｄｅｘを確定する。
【０２７２】
第４電力制御命令送信モジュール８０２は、各キャリア組に対応する電力制御インデックスに基づいて、当該キャリア組に対応するアップリンク電力制御命令を、ダウンリンク制御情報３/３Ａが採用された物理ダウンリンク制御チャネルにおける対応の位置にマッピングし、且つ、当該キャリア組に対応するＴＰＣ-ＲＮＴＩで、前記物理ダウンリンク制御チャネルをスクランブルし、前記ユーザー設備の当該キャリア組に対応する検索対象キャリアの共通領域において、前記物理ダウンリンク制御チャネルを伝送し、前記各キャリア組に対応する検索対象キャリアは、上位層シグナリングにより事前設定され、または前記ユーザー設備と事前協議した当該キャリア組の１つのキャリアである。
【０２７３】
好ましくは、ユーザー設備の各キャリア組に対応するＴＰＣ-ＲＮＴＩを確定する場合、前記第４パラメーター確定モジュール８０１は、下記のことに用いられる。
【０２７４】
前記ユーザー設備との事前協議により、前記ユーザー設備に対応する１個のＴＰＣ-ＲＮＴを確定するか、または、前記ユーザー設備に対応する１個の電力制御-無線ネットワーク一時的識別子を確定し、上位層シグナリングにより前記電力制御-無線ネットワーク一時的識別子を前記ユーザー設備のために設定する。前記ユーザー設備に対応するＴＰＣ-ＲＮＴＩは、当該ユーザー設備の各キャリア組に対応するＴＰＣ-ＲＮＴＩである。
【０２７５】
ユーザー設備の各キャリア組に対応するＴＰＣ-ｉｎｄｅｘを確定する場合、前記第４パラメーター確定モジュールは、下記のことに用いられる。
【０２７６】
前記ユーザー設備との事前協議により、前記ユーザー設備に対応する１個のＴＰＣ-ｉｎｄｅｘを確定するか、または、前記ユーザー設備に対応する１個の電力制御インデックスを確定し、上位層シグナリングにより前記電力制御インデックスを前記ユーザー設備のために設定する。前記ユーザー設備に対応するＴＰＣ-ｉｎｄｅｘは、当該ユーザー設備各キャリア組に対応するＴＰＣ-ｉｎｄｅｘである。
【０２７７】
または、前記ユーザー設備との事前協議により、各キャリア組それぞれに対応するＴＰＣ-ｉｎｄｅｘを確定する。
【０２７８】
または、各キャリア組それぞれに対応する１個の電力制御インデックスを確定し、上位層シグナリングにより前記電力制御インデックスを前記ユーザー設備のために設定する。
【０２７９】
または、前記ユーザー設備との事前協議により、前記ユーザー設備に対応する１個のＴＰＣ-ｉｎｄｅｘと、各キャリア組それぞれに対応するＴＰＣ-ｉｎｄｅｘ-ｏｆｆｓｅｔとを確定し、または、前記ユーザー設備に対応する１個の電力制御インデックス及び前記ユーザリア組それぞれに対応する電力制御インデックスオフセットを確定し、上位層シグナリングにより前記電力制御インデックス及び電力制御インデックスオフセットを前記ユーザー設備のために設定する。前記ユーザー設備に対応するＴＰＣ-ｉｎｄｅｘ及び各キャリア組それぞれに対応するＴＰＣ-ｉｎｄｅｘ-ｏｆｆｓｅｔに基づいて、各キャリア組それぞれに対応するＴＰＣ-ｉｎｄｅｘを確定する。
【０２８０】
好ましくは、図８に示す各ネットワーク側設備の実施例に基づいて、前記第４電力制御命令送信モジュール８０２は、下記のことにさらに用いられる。
【０２８１】
同一のキャリア組において動作し、且つ同一の電力制御-無線ネットワーク一時的識別子に対応するユーザー設備の、当該キャリア組に対応するアップリンク電力制御命令を、ダウンリンク制御情報フォーマット３/３Ａが採用され、且つ前記同一の電力制御-無線ネットワーク一時的識別子が用いられてスクランブルする、同一の物理ダウンリンク制御チャネルにマッピングし、当該キャリア組に対応する検索対象キャリアの共通領域において、前記物理ダウンリンク制御チャネルを伝送する。
【０２８２】
好ましくは、図８に示す各ネットワーク側設備の実施例に基づいて、各キャリア組に対応する検索対象キャリアは、当該キャリア組の、当該キャリア組に対応する、アップリンク制御情報を伝送するアップリンクキャリアとペアとなる１個のダウンリンクキャリアであるか、または、当該キャリア組におけるダウンリンクＰＣＣである。
【０２８３】
上述本発明に係る実施例において、ＴＰＣ-ＲＮＴＩは、ＴＰＣ-物理アップリンク制御チャネル（ＰＵＣＣＨ）-ＲＮＴＩであってもよいし、ＴＰＣ-物理アップリンク共有チャネル（ＰＵＳＣＨ）/ＳＲＳ-ＲＮＴＩであってもよい。
【０２８４】
ＴＰＣ-ＰＵＣＣＨ-ＲＮＴＩであれば、対応のアップリンクＴＰＣ命令は、ＰＵＣＣＨに対するアップリンクＴＰＣ命令である。
【０２８５】
ＴＰＣ-ＰＵＳＣＨ-ＲＮＴＩである場合、対応のアップリンクＴＰＣ命令は、ＰＵＳＣＨ/ＳＲＳに対するアップリンクＴＰＣ命令である。
【０２８６】
前記本発明に係る実施例において、アップリンクＴＰＣ命令伝送を実現するネットワーク側設備は、ｅＮＢで当てもよく、勿論、制御シグナリングを伝送する機能を有する他のネットワーク側設備であってもよい。
【０２８７】
図９に示すように、本発明に係る実施例において、ユーザー設備は、第１プロセッサ９０１を備える。
【０２８８】
第１プロセッサ９０１は、各キャリア組に対応する電力制御-無線ネットワーク一時的識別子及び各キャリア組に対応する電力制御インデックスを確定する、プライマリー・コンポーネントキャリアの共通領域において、ダウンリンク制御情報フォーマット３/３Ａが採用され、各キャリア組に対応する電力制御-無線ネットワーク一時的識別子でスクランブルされる物理ダウンリンク制御チャネルを検出し、且つ各キャリア組に対応する電力制御インデックスに基づいて、前記検出した当該キャリア組に対応する電力制御-無線ネットワーク一時的識別子でスクランブルする物理ダウンリンク制御チャネルにおいて、当該キャリア組に対応するアップリンク電力制御命令の位置を確定し、対応の位置から各キャリア組に対応するアップリンク電力制御命令を取得する。
【０２８９】
各キャリア組に対応する電力制御-無線ネットワーク一時的識別子を確定し、また、各キャリア組に対応する電力制御インデックスを確定する場合、第１プロセッサ９０１は、手段１、手段２及び手段３のいずれか１つを実行し、
【０２９０】
手段１：
上位層シグナリングの指示またはネットワーク側との事前協議に基づいて、ユーザー設備に対応する１個の電力制御-無線ネットワーク一時的識別子を確定する。
【０２９１】
前記ユーザー設備に対応する電力制御-無線ネットワーク一時的識別子は、当該ユーザー設備の各キャリア組に対応する電力制御-無線ネットワーク一時的識別子である。
【０２９２】
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なる。
【０２９３】
または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なる。
【０２９４】
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なる。
【０２９５】
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスである。
【０２９６】
または、上位層シグナリングの指示またはネットワーク側との事前協議に基づいて、各キャリア組それぞれに対応する１個の電力制御インデックスを確定する。
【０２９７】
または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
【０２９８】
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではない。
【０２９９】
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なる。
【０３００】
または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なる。
【０３０１】
手段１または手段３を用いる場合、第１プロセッサ９０１は以下のことに用いられる。
ユーザー設備の複数のキャリア組が同一の電力制御-無線ネットワーク一時的識別子に対応する場合、前記検出した当該電力制御-無線ネットワーク一時的識別子スクランブルを利用する１個の物理ダウンリンク制御チャネルにおいて、同一の前記電力制御-無線ネットワーク一時的識別子に対応する各キャリア組に対応する電力制御インデックスに基づいて、前記各キャリア組に対応するアップリンク電力制御命令の位置を確定し、且つ、対応の位置から前記各キャリア組に対応するアップリンク電力制御命令を取得する。
【０３０２】
前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含む。
【０３０３】
図１０に示すように、本発明に係る実施例において、ネットワーク側設備は、第３プロセッサ１００１と、第３通信ポート１００２とを備える。
【０３０４】
第３プロセッサ１００１は、ユーザー設備の各キャリア組に対応する電力制御-無線ネットワーク一時的識別子及び各キャリア組に対応する電力制御インデックスを確定する。
【０３０５】
第３通信ポート１００２は、各キャリア組に対応する電力制御インデックスに基づいて、当該キャリア組に対応するアップリンク電力制御命令を、ダウンリンク制御情報フォーマット３/３Ａが採用された物理ダウンリンク制御チャネルにおける対応の位置にマッピングし、且つ、当該キャリア組に対応する電力制御-無線ネットワーク一時的識別子で前記物理ダウンリンク制御チャネルをスクランブルし、前記ユーザー設備のプライマリー・コンポーネントキャリアの共通領域において、前記物理ダウンリンク制御チャネルを送信する。
【０３０６】
ユーザー設備の各キャリア組に対応する電力制御-無線ネットワーク一時的識別子を確定し、また、ユーザー設備の各キャリア組に対応する電力制御インデックスを確定する場合、第３プロセッサ１００１は下記のことに用いられる。
【０３０７】
手段１：
（前記ユーザー設備との事前協議により、前記ユーザー設備に対応する１個の電力制御-無線ネットワーク一時的識別子を確定するか、または、前記ユーザー設備に対応する１個の電力制御-無線ネットワーク一時的識別子を確定し、且つ、上位層シグナリングにより、前記電力制御-無線ネットワーク一時的識別子を前記ユーザー設備のために設定する。前記ユーザー設備に対応する電力制御-無線ネットワーク一時的識別子は、当該ユーザー設備の各キャリア組に対応する電力制御-無線ネットワーク一時的識別子である。
【０３０８】
前記ユーザー設備との事前協議により、前記ユーザー設備の各キャリア組それぞれに対応する１個の電力制御インデックスを確定するか、または、前記ユーザー設備の各キャリア組それぞれに対応する１個の電力制御インデックスを確定し、上位層シグナリングにより、前記電力制御インデックスを前記ユーザー設備のために設定する。ここで、異なるキャリア組に対応する電力制御インデックスそれぞれは、異なる。
【０３０９】
または、前記ユーザー設備との事前協議により、前記ユーザー設備に対応する１個の電力制御インデックスと、前記ユーザー設備の各キャリア組それぞれに対応する電力制御インデックスオフセットとを確定する。
【０３１０】
または、前記ユーザー設備に対応する１個の電力制御インデックスと、前記ユーザー設備の各キャリア組それぞれに対応する電力制御インデックスオフセットとを確定し、上位層シグナリングにより、前記電力制御インデックス及び電力制御インデックスオフセットを前記ユーザー設備のために設定する。前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定する。ここで、異なるキャリア組に対応する電力制御インデックスそれぞれは、異なる。
【０３１１】
手段２：
前記ユーザー設備との事前協議により、前記ユーザー設備の各キャリア組それぞれに対応する１個の電力制御-無線ネットワーク一時的識別子を確定するか、または、前記ユーザー設備の各キャリア組それぞれに対応する１個の電力制御-無線ネットワーク一時的識別子を確定し、且つ、上位層シグナリングにより、前記電力制御-無線ネットワーク一時的識別子を前記ユーザー設備のために設定する。ここで、異なるキャリア組に対応する電力制御-無線ネットワーク一時的識別子それぞれは、異なる。
【０３１２】
前記ユーザー設備との事前協議により、前記ユーザー設備に対応する１個の電力制御インデックスを確定するか、または、前記ユーザー設備に対応する１個の電力制御インデックスを確定し、上位層シグナリングにより、前記電力制御インデックスを前記ユーザー設備のために設定する。前記ユーザー設備に対応する電力制御インデックスは、当該ユーザー設備の各キャリア組に対応する電力制御インデックスである。
【０３１３】
または、前記ユーザー設備との事前協議により、前記ユーザー設備の各キャリア組それぞれに対応する１個の電力制御インデックスを確定する。
【０３１４】
または、前記ユーザー設備の各キャリア組それぞれに対応する１個の電力制御インデックスを確定し、上位層シグナリングにより、前記電力制御インデックスを前記ユーザー設備のために設定する。
【０３１５】
または、前記ユーザー設備との事前協議により、前記ユーザー設備に対応する１個の電力制御インデックスと、前記ユーザー設備の各キャリア組それぞれに対応する電力制御インデックスオフセットとを確定するか、または、前記ユーザー設備に対応する１個の電力制御インデックスと、前記ユーザー設備の各キャリア組それぞれに対応する電力制御インデックスオフセットとを確定し、上位層シグナリングにより、前記電力制御インデックス及び電力制御インデックスオフセットを前記ユーザー設備のために設定する。前記ユーザー設備に対応する電力制御インデックス及び前記ユーザー設備の各キャリア組それぞれに対応する電力制御インデックスオフセットに基づいて、各キャリア組それぞれに対応する電力制御インデックスを確定する。
【０３１６】
手段３：
前記ユーザー設備との事前協議により、前記ユーザー設備の各キャリア組それぞれに対応する１個の電力制御-無線ネットワーク一時的識別子を確定し、または、前記ユーザー設備の各キャリア組それぞれに対応する１個の電力制御-無線ネットワーク一時的識別子を確定し、且つ、上位層シグナリングにより、前記電力制御-無線ネットワーク一時的識別子を前記ユーザー設備のために設定する。ここで、各キャリア組に対応する電力制御-無線ネットワーク一時的識別子は、全部同一ではない。
【０３１７】
前記ユーザー設備との事前協議により、前記ユーザー設備の各キャリア組それぞれに対応する１個の電力制御インデックスを確定するか、または、前記ユーザー設備の各キャリア組それぞれに対応する１個の電力制御インデックスを確定し、上位層シグナリングにより、前記電力制御インデックスを前記ユーザー設備のために設定する。ここで、同一の電力制御-無線ネットワーク一時的識別子に対応するキャリア組の対応の電力制御インデックスそれぞれは、異なる。
【０３１８】
または、前記ユーザー設備との事前協議により、前記ユーザー設備に対応する１個の電力制御インデックスと、前記ユーザー設備の各キャリア組それぞれに対応する電力制御インデックスオフセットとを確定するか、または、前記ユーザー設備に対応する１個の電力制御インデックスと、前記ユーザー設備の各キャリア組それぞれに対応する電力制御インデックスオフセットとを確定し、上位層シグナリングにより、前記電力制御インデックス及び電力制御インデックスオフセットを前記ユーザー設備のために設定する。前記ユーザー設備に対応する電力制御インデックス及び前記ユーザー設備の各キャリア組それぞれに対応する電力制御インデックスオフセットに基づいて、前記ユーザー設備の各キャリア組それぞれに対応する電力制御インデックスを確定する。ここで、同一の電力制御-無線ネットワーク一時的識別子に対応するキャリア組の対応の電力制御インデックスそれぞれは、異なる。
【０３１９】
手段２または手段３を用いる場合、第３通信ポート１００２は、以下のことにもちいられる。
前記ユーザー設備の、異なる電力制御-無線ネットワーク一時的識別子に対応するキャリア組に対応するアップリンク電力制御命令を、ダウンリンク制御情報フォーマット３/３Ａが採用され且つ対応の前記異なる電力制御-無線ネットワーク一時的識別子でスクランブルする物理ダウンリンク制御チャネルにマッピングする。異なるダウンリンクサブフレームそれぞれにより、前記ユーザー設備のプライマリー・コンポーネントキャリアの共通領域において、前記複数の物理ダウンリンク制御チャネルを送信する。
【０３２０】
または、
手段１または手段３を用いる場合、第３通信ポート１００２は、前記ユーザー設備の、同一の電力制御-無線ネットワーク一時的識別子に対応するキャリア組に対応するアップリンク電力制御命令を、同一のダウンリンク制御情報フォーマット３/３Ａが採用され且つ前記同一の電力制御-無線ネットワーク一時的識別子でスクランブルする物理ダウンリンク制御チャネルにマッピングし、前記ユーザー設備のプライマリー・コンポーネントキャリアの共通領域において、前記物理ダウンリンク制御チャネルを送信する。
【０３２１】
または、
第３通信ポート１００２は、異なるユーザー設備の、同一の電力制御-無線ネットワーク一時的識別子に対応するキャリア組に対応するアップリンク電力制御命令を、同一のダウンリンク制御情報フォーマット３/３Ａが採用され且つ前記同一の電力制御-無線ネットワーク一時的識別子でスクランブルする物理ダウンリンク制御チャネルにマッピングし、前記ユーザー設備のプライマリー・コンポーネントキャリアの共通領域において、前記物理ダウンリンク制御チャネルを送信する。
【０３２２】
電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含む。
【０３２３】
図１１に示すように、本発明に係る実施例において、ユーザー設備は、第２プロセッサ１１０１を備える。
【０３２４】
第２プロセッサ１１０１は、各キャリア組に対応する電力制御-無線ネットワーク一時的識別子及び各キャリア組に対応する電力制御インデックスを確定し、各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出する。前記各キャリア組に対応する検索対象キャリアは、上位層シグナリングにより事前設定されまたはネットワーク側と事前協議した当該キャリア組の１つのキャリアである。また、第２プロセッサ１１０１は、各キャリア組に対応する電力制御インデックスに基づいて、各キャリア組に対応するアップリンク電力制御命令の、当該キャリア組に対応する検索対象キャリア上出検出した前記物理ダウンリンク制御チャネル中の位置を確定し、対応の位置から当該キャリア組に対応するアップリンク電力制御命令を取得する。
【０３２５】
各キャリア組に対応する電力制御-無線ネットワーク一時的識別子を確定し、また、各キャリア組に対応する電力制御インデックスを確定する場合、第２プロセッサ１１０１は、以下のことに用いられる。
【０３２６】
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子である。
【０３２７】
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスである。
【０３２８】
または、上位層シグナリングの指示またはネットワーク側との事前協議に基づいて、各キャリア組それぞれに対応する１個の電力制御インデックスを確定する。
【０３２９】
または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定する。
【０３３０】
各キャリア組に対応する検索対象キャリアは、当該キャリア組の、当該キャリア組に対応する、アップリンク制御情報を伝送するアップリンクキャリアとペアとなる１個のダウンリンクキャリアである。
【０３３１】
または、各キャリア組に対応する検索対象キャリアは、当該キャリア組のダウンリンクプライマリー・コンポーネントキャリアである。
【０３３２】
電力制御-無線ネットワーク一時的識別子は、電力制御-物理アップリンク制御チャネル-無線ネットワーク一時的識別子であるか、または、上述電力制御-無線ネットワーク一時的識別子は、電力制御-物理アップリンク共有チャネル-無線ネットワーク一時的識別子である。
【０３３３】
図１２に示すように、本発明に係る実施例において、ネットワーク側設備は、第４プロセッサ１２０１と、第４通信ポート１２０２とを備える。
【０３３４】
第４プロセッサ１２０１は、電力制御-無線ネットワーク一時的識別子及びユーザー設備の各キャリア組に対応する電力制御インデックスを確定する。
【０３３５】
第４通信ポート１２０２は、各キャリア組に対応する電力制御インデックスに基づいて、当該キャリア組に対応するアップリンク電力制御命令を、ダウンリンク制御情報３/３Ａが採用された物理ダウンリンク制御チャネルにおける対応の位置にマッピングし、且つ、当該キャリア組に対応する電力制御-無線ネットワーク一時的識別子で前記物理ダウンリンク制御チャネルをスクランブルし、前記ユーザー設備の当該キャリア組に対応する検索対象キャリアの共通領域において、前記物理ダウンリンク制御チャネルを送信し、前記各キャリア組に対応する検索対象キャリアは、上位層シグナリングにより事前に設定されたキャリアであるか、または、前記ユーザー設備と事前協議した当該キャリア組の１つのキャリアである。
【０３３６】
ユーザー設備の各キャリア組に対応する電力制御-無線ネットワーク一時的識別子を確定し、また、ユーザー設備の各キャリア組に対応する電力制御インデックスを確定する場合、上述第４プロセッサ１２０１は、以下のことに用いられる。
【０３３７】
前記ユーザー設備との事前協議により、前記ユーザー設備に対応する１個の電力制御-無線ネットワーク一時的識別子を確定し、または、前記ユーザー設備に対応する１個の電力制御-無線ネットワーク一時的識別子を確定し、且つ、上位層シグナリングにより、前記電力制御-無線ネットワーク一時的識別子を前記ユーザー設備のために設定する。前記ユーザー設備に対応する電力制御-無線ネットワーク一時的識別子は、当該ユーザー設備の各キャリア組に対応する電力制御-無線ネットワーク一時的識別子である。
【０３３８】
前記ユーザー設備との事前協議により、前記ユーザー設備に対応する１個の電力制御インデックスを確定し、または、前記ユーザー設備に対応する１個の電力制御インデックスを確定し、上位層シグナリングにより、前記電力制御インデックスを前記ユーザー設備のために設定する。前記ユーザー設備に対応する電力制御インデックスは、当該ユーザー設備の各キャリア組に対応する電力制御インデックスである。
【０３３９】
または、前記ユーザー設備との事前協議により、各キャリア組それぞれに対応する電力制御インデックスを確定する。
【０３４０】
または、各キャリア組それぞれに対応する１個の電力制御インデックスを確定し、上位層シグナリングにより、前記電力制御インデックスを前記ユーザー設備のために設定する。
【０３４１】
または、前記ユーザー設備との事前協議により、前記ユーザー設備に対応する１個の電力制御インデックス及び前記ユーザリア組それぞれに対応する電力制御インデックスオフセットを確定するか、または、前記ユーザー設備に対応する１個の電力制御インデックス及び前記ユーザリア組それぞれに対応する電力制御インデックスオフセットを確定し、上位層シグナリングにより、前記電力制御インデックス及び電力制御インデックスオフセットを前記ユーザー設備のために設定する。前記ユーザー設備に対応する電力制御インデックス及び各キャリア組それぞれに対応する電力制御インデックスオフセットに基づいて、各キャリア組それぞれに対応する電力制御インデックスを確定する。
【０３４２】
第４通信ポート１２０２は。同一のキャリア組において動作し、且つ同一の電力制御-無線ネットワーク一時的識別子に対応するユーザー設備の、当該キャリア組に対応するアップリンク電力制御命令を、同一のダウンリンク制御情報フォーマット３/３Ａが採用され且つ前記同一の電力制御-無線ネットワーク一時的識別子でスクランブルする物理ダウンリンク制御チャネルにマッピングし、当該キャリア組に対応する検索対象キャリアの共通領域において、前記物理ダウンリンク制御チャネルを送信する。
【０３４３】
各キャリア組に対応する検索対象キャリアは、当該キャリア組の、当該キャリア組に対応する、アップリンク制御情報を伝送するアップリンクキャリアとペアとなる１個のダウンリンクキャリアである。
【０３４４】
または、各キャリア組に対応する検索対象キャリアは、当該キャリア組のダウンリンクプライマリー・コンポーネントキャリアである。
【０３４５】
電力制御-無線ネットワーク一時的識別子は、電力制御-物理アップリンク制御チャネル-無線ネットワーク一時的識別子であるか、または、上述電力制御-無線ネットワーク一時的識別子は、電力制御-物理アップリンク共有チャネル-無線ネットワーク一時的識別子である。
【０３４６】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ（登録商標））システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ（登録商標））システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【０３４７】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるものであるか、または、車載の移動装置であることもできる。
【０３４８】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、GＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれを限定しない。
【０３４９】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０３５０】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフロー及び／またはブロック図における一つ或いは複数のブロックに指定する機能を実現する。
【０３５１】
これらのコンピュータプログラム指令は又、コンピュータ或いは他のプログラム可能なデータ処理装置を特定方法で動作させるコンピュータ読取記憶装置に記憶できる。これによって、指令を含む装置は当該コンピュータ読取記憶装置内の指令を実行でき、フロー図における一つ或いは複数のフロー及び／またはブロック図における一つ或いは複数のブロックに指定する機能を実現する。
【０３５２】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフロー及び／またはブロック図における一つ或いは複数のブロックに指定する機能を実現する。
【０３５３】
上述した実施形態に記述された技術的な解決手段を改造し、或いはその中の一部の技術要素を置換することもできる。そのような、改造と置換は本発明の各実施形態の技術の範囲から逸脱するとは見なされない。
【０３５４】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０３５５】
５０１  第１パラメーター確定モジュール
５０２  第１チャネル検索モジュール
５０３  第１電力制御命令取得モジュール
６０１  第３パラメーター確定モジュール
６０２  第３電力制御命令送信モジュール
７０１  第２パラメーター確定モジュール
７０２  第２チャネル検索モジュール
７０３  第２電力制御命令取得モジュール
８０１  第４パラメーター確定モジュール
８０２  第４電力制御命令送信モジュール
９０１  第１プロセッサ
１００１  第３プロセッサ
１００２  第３通信ポート
１１０１  第２プロセッサ
１２０１  第４プロセッサ
１２０２  第４通信ポート
【図１】
2016506703.tif 000003
【図２】
2016506703.tif 000004
【図３】
2016506703.tif 000005
【図４】
2016506703.tif 000006
【図５】
2016506703.tif 000007
【図６】
2016506703.tif 000008
【図７】
2016506703.tif 000009
【図８】
2016506703.tif 000010
【図９】
2016506703.tif 000011
【図１０】
2016506703.tif 000012
【図１１】
2016506703.tif 000013
【図１２】
2016506703.tif 000014
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
アップリンク電力制御命令の伝送方法であって、
前記方法は、
各キャリア組に対応する電力制御-無線ネットワーク一時的識別子及び各キャリア組に対応する電力制御インデックスを確定するステップと、
プライマリー・コンポーネントキャリアの共通領域において、ダウンリンク制御情報フォーマット ３/３Ａが採用され且つ各キャリア組に対応する電力制御-無線ネットワーク一時的識別子でスクランブルする物理ダウンリンク制御チャネルを検出するステップと、
各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得するステップと
を備えることを特徴とするアップリンク電力制御命令の伝送方法。
【請求項２】
各キャリア組に対応する電力制御-無線ネットワーク一時的識別子を確定し、また、各キャリア組に対応する電力制御インデックスを確定するには、手段１、手段２、手段３のいずれかを用い、
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なり、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なり、
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではなく、
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なることを特徴とする請求項１に記載のアップリンク電力制御命令の伝送方法。
【請求項３】
手段１または手段３を用いる場合、各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得することは、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得することを含むことを特徴とする請求項２に記載のアップリンク電力制御命令の伝送方法。
【請求項４】
前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含むことを特徴とする請求項１ないし請求項３のいずれの１つに記載のアップリンク電力制御命令の伝送方法。
【請求項５】
電力制御命令の伝送方法であって、
前記伝送方法は、
各キャリア組に対応する電力制御-無線ネットワーク一時的識別子及び各キャリア組に対応する電力制御インデックスを確定するステップと、
各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアであるステップと、
各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得するステップと
を備えることを特徴とする電力制御命令の伝送方法。
【請求項６】
各キャリア組に対応する電力制御-無線ネットワーク一時的識別子を確定し、また、各キャリア組に対応する電力制御インデックスを確定することは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定することを特徴とする請求項５に記載の電力制御命令の伝送方法。
【請求項７】
前記各キャリア組に対応する検索対象キャリアは、当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアであることを特徴とする請求項５または請求項６に記載の電力制御命令の伝送方法。
【請求項８】
前記電力制御-無線ネットワーク一時的識別子は、電力制御-物理アップリンク制御チャネル-無線ネットワーク一時的識別子であるか、または、前記電力制御-無線ネットワーク一時的識別子は、電力制御-物理アップリンク共有チャネル-無線ネットワーク一時的識別子であることを特徴とする請求項５または請求項６に記載の電力制御命令の伝送方法。
【請求項９】
ユーザー設備であって、
前記ユーザー設備は、
各キャリア組に対応する電力制御-無線ネットワーク一時的識別子及び各キャリア組に対応する電力制御インデックスを確定する第１パラメーター確定モジュールと、
プライマリー・コンポーネントキャリアの共通領域において、ダウンリンク制御情報フォーマット３/３Ａが採用され、各キャリア組に対応する電力制御-無線ネットワーク一時的識別子でスクランブルされる物理ダウンリンク制御チャネルを検出する第１チャネル検索モジュールと、
各キャリア組に対応する電力制御インデックスに基づいて、検出した当該キャリア組に対応する電力制御-無線ネットワーク一時的識別子でスクランブルする前記物理ダウンリンク制御チャネルにおいて、当該キャリア組に対応するアップリンク電力制御命令の位置を確定し、対応の位置から当該キャリア組に対応するアップリンク電力制御命令を取得する第１電力制御命令取得モジュールと
を備えることを特徴とするユーザー設備。
【請求項１０】
各キャリア組に対応する電力制御-無線ネットワーク一時的識別子を確定し、また、各キャリア組に対応する電力制御インデックスを確定する場合、前記第１パラメーター確定モジュールは、手段１、手段２及び手段３のいずれか１つを実行し、
手段１：
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、各キャリア組それぞれに対応する１個の電力制御インデックスを確定し、異なるキャリア組に対応する電力制御インデックスそれぞれは、異なり、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、異なるキャリア組に対応する電力制御インデックスそれぞれは、異なり、
手段２：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子それぞれは、異なり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、
手段３：
上位層シグナリングの指示またはネットワーク側との事前協議に基づいて、各キャリア組それぞれに対応する１個の電力制御-無線ネットワーク一時的識別子を確定し、異なるキャリア組に対応する電力制御-無線ネットワーク一時的識別子は、全部同一ではなく、
上位層シグナリングの指示またはネットワーク側との事前協議に基づいて、各キャリア組それぞれに対応する１個の電力制御インデックスを確定し、同一の電力制御-無線ネットワーク一時的識別子に対応するキャリア組の対応の電力制御インデックスそれぞれは、異なり、または、上位層シグナリングの指示またはネットワーク側との事前協議に基づいて、ユーザー設備に対応する１個の電力制御インデックス及び前記ユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定し、同一の電力制御-無線ネットワーク一時的識別子に対応するキャリア組の対応の電力制御インデックスそれぞれは、異なることを特徴とする請求項９に記載のユーザー設備。
【請求項１１】
手段１または手段３を用いる場合、前記第１電力制御命令取得モジュールは、下記のことに用いられ、
ユーザー設備の複数のキャリア組が同一の電力制御-無線ネットワーク一時的識別子に対応する場合、当該電力制御-無線ネットワーク一時的識別子スクランブルを利用する検出した１個の前記物理ダウンリンク制御チャネルにおいて、同一の電力制御-無線ネットワーク一時的識別子に対応する各キャリア組に対応する前記電力制御インデックスそれぞれに基づいて、各キャリア組に対応する前記アップリンク電力制御命令の位置を確定し、対応の位置から前記各キャリア組に対応するアップリンク電力制御命令を取得することを特徴とする請求項９に記載のユーザー設備。
【請求項１２】
前記電力制御-無線ネットワーク一時的識別子は、電力制御-物理アップリンク制御チャネル-無線ネットワーク一時的識別子と、電力制御-物理アップリンク共有チャネル-無線ネットワーク一時的識別子とを含むことを特徴とする請求項９ないし請求項１１のいずれの１つに記載のユーザー設備。
【請求項１３】
ユーザー設備であって、
前記ユーザー設備は、
各キャリア組に対応する電力制御-無線ネットワーク一時的識別子及び各キャリア組に対応する電力制御インデックスを確定する第２パラメーター確定モジュールと、
各キャリア組に対応する検索対象キャリアの共通領域において、ダウンリンク制御情報フォーマット３/３Ａが採用され、且つ当該キャリア組に対応する電力制御-無線ネットワーク一時的識別子でスクランブルする物理ダウンリンク制御チャネルを検出し、前記各キャリア組に対応する検索対象キャリアは、上位層シグナリングにより事前設定されまたはネットワーク側と事前協議した当該キャリア組の１つのキャリアである第２チャネル検索モジュールと、
各キャリア組に対応する電力制御インデックスそれぞれに基づいて、各キャリア組に対応するアップリンク電力制御命令の、当該キャリア組に対応する検索対象キャリア上で検出した前記物理ダウンリンク制御チャネルにおける位置を確定し、対応の位置から当該キャリア組に対応するアップリンク電力制御命令を取得する第２電力制御命令取得モジュールと
を備えることを特徴とするユーザー設備。
【請求項１４】
各キャリア組に対応する電力制御-無線ネットワーク一時的識別子を確定し、また、各キャリア組に対応する電力制御インデックスを確定する場合、前記第２パラメーター確定モジュールは、
上位層シグナリングの指示またはネットワーク側との事前協議に基づいて、ユーザー設備に対応する１個の電力制御-無線ネットワーク一時的識別子を確定し、前記ユーザー設備に対応する電力制御-無線ネットワーク一時的識別子は、当該ユーザー設備の各キャリア組に対応する電力制御-無線ネットワーク一時的識別子であり、
上位層シグナリングの指示またはネットワーク側との事前協議に基づいて、ユーザー設備に対応する１個の電力制御インデックスを確定し、前記ユーザー設備に対応する電力制御インデックスは、当該ユーザー設備の各キャリア組に対応する電力制御インデックスであり、または、上位層シグナリングの指示またはネットワーク側との事前協議に基づいて、各キャリア組それぞれに対応する１個の電力制御インデックスを確定し、または、上位層シグナリングの指示またはネットワーク側との事前協議に基づいて、ユーザー設備に対応する１個の電力制御インデックス及びユーザリア組それぞれに対応する電力制御インデックスオフセットを確定し、前記ユーザー設備に対応する電力制御インデックス及び各キャリア組それぞれに対応する電力制御インデックスオフセットに基づいて、各キャリア組それぞれに対応する電力制御インデックスを確定することを特徴とする請求項１３に記載のユーザー設備。
【請求項１５】
前記各キャリア組に対応する検索対象キャリアは、
当該キャリア組の、当該キャリア組に対応する、アップリンク制御情報を伝送するアップリンクキャリアとペアとなる１個のダウンリンクキャリアであるか、
または、
当該キャリア組のダウンリンクプライマリー・コンポーネントキャリアであることを特徴とする請求項１３または請求項１４に記載のユーザー設備。
【国際調査報告】
2016506703.tif 000015
2016506703.tif 000016
2016506703.tif 000017
2016506703.tif 000018